(57)【要約】ワイヤレス送受信ユニット（ＷＴＲＵ）に、接続モードの間にＷＴＲＵホワイトリスト中で１つまたは複数のＣＳＧ（限定加入者グループ）ＩＤ（識別）を探索させ追加させる方法および機器が提供される。このような方法および機器は、ＷＴＲＵ自律探索もしくは手動探索、ＷＴＲＵ始動手順、またはネットワーク始動手順を含むが、それに限定されない。さらに、ネットワークおよび／または非アクセス階層（ＮＡＳ）に、ＣＳＧ  ＩＤを追加させる方法についても記載する。
2013516919.tif 000002
【特許請求の範囲】
【請求項１】
ワイヤレス送受信ユニット（ＷＴＲＵ）において実装される方法であって、
隣接するＣＳＧセルを求める自律ＣＳＧ（限定加入者グループ）セル探索を開始するトリガを検出するステップと、
接続モードでの前記自律ＣＳＧセル探索が始まったことを示すメッセージをネットワークに送るステップと、
前記隣接するＣＳＧセルを検出し、測定し、報告する要求を示すメッセージを前記ネットワークから受信するステップと、
前記隣接するＣＳＧセルを検出し、測定するステップと
を含むことを特徴とする方法。
【請求項２】
前記隣接するＣＳＧセルのＰＳＣ（プライマリスクランブリングコード）および測定結果を示すメッセージを前記ネットワークに送るステップと、
検出された最良セルのシステム情報（ＳＩ）を自律的に読取り始めるステップと
をさらに含むことを特徴とする請求項１に記載の方法。
【請求項３】
新規ＣＳＧセルＩＤ（識別）のメンバーになるよう、ネットワークに要求する非アクセス階層（ＮＡＳ）メッセージを送るステップをさらに含むことを特徴とする請求項２に記載の方法。
【請求項４】
前記ＷＴＲＵが、前記新規ＣＳＧセルＩＤのメンバーになるための受諾を受信したという条件で、前記新規ＣＳＧセルＩＤへのハンドオーバを実施するステップをさらに含むことを特徴とする請求項３に記載の方法。
【請求項５】
前記新規ＣＳＧセルＩＤをホワイトリストに追加するステップをさらに含むことを特徴とする請求項４に記載の方法。
【請求項６】
前記新規ＣＳＧセルＩＤのメンバーになることに対する拒絶を前記ＷＴＲＵが受信したという条件で、新たな拒絶理由を使って前記拒絶を示すステップをさらに含むことを特徴とする請求項３に記載の方法。
【請求項７】
ＭＭＥ（移動管理エンティティ）において実装される方法であって、
ターゲットＣＳＧ（限定加入者グループ）セルと比較して、ワイヤレス送受信ユニット（ＷＴＲＵ）の状況を判定するステップと、
前記ＷＴＲＵがソースホームＮｏｄｅＢ（ＨＮＢ）から前記ターゲットＣＳＧセルに移行したかどうか判定するステップと、
前記ＷＴＲＵがソースＨＮＢから前記ターゲットＣＳＧセルに移行したという条件で、前記ソースＨＮＢを前記ターゲットＣＳＧセルの現在の識別で更新するステップとを含むことを特徴とする方法。
【請求項８】
前記ＷＴＲＵが前記ソースＨＮＢから前記ターゲットＣＳＧセルに移行していないという条件で、前記ソースＨＮＢから前記ターゲットＣＳＧセルへの前記ＷＴＲＵの第２の始動を開始することを特徴とする請求項７に記載の方法。
【請求項９】
前記ソースＨＮＢは、前記ソースＨＮＢから前記ターゲットＣＳＧセルへの前記ＷＴＲＵの失敗した第１の移行の指示を受信することを特徴とする請求項７に記載の方法。
【請求項１０】
前記ソースＨＮＢは、前記ターゲットＣＳＧセルの前記現在の識別を受信し、前記ＷＴＲＵを前記ターゲットＣＳＧセルの前記現在の識別で更新することを特徴とする請求項７に記載の方法。
【請求項１１】
前記ソースＨＮＢは、前記ソースＨＮＢから前記ターゲットＣＳＧセルへの前記ＷＴＲＵの第２の移行を始動することを特徴とする請求項７に記載の方法。
【請求項１２】
ワイヤレス送受信ユニット（ＷＴＲＵ）であって、
隣接するＣＳＧ（限定加入者グループ）セルを求める自律ＣＳＧセル探索を開始するトリガを検出するように構成されたプロセッサと、
接続モードでの前記自律ＣＳＧセル探索が始まったことを示すメッセージをネットワークに送るように構成された送信機と、
前記隣接するＣＳＧセルを検出し、測定し、報告する要求を示すメッセージを前記ネットワークから受信するように構成された受信機と、
前記隣接するＣＳＧセルを検出し、測定するように構成された前記プロセッサと
を備えることを特徴とするＷＴＲＵ。
【請求項１３】
前記隣接するＣＳＧセルのＰＳＣ（プライマリスクランブリングコード）および測定結果を示すメッセージを前記ネットワークに送り、検出された最良セルのシステム情報（ＳＩ）を自律的に読み取り始めるように構成された前記送信機をさらに備えることを特徴とする請求項１２に記載のＷＴＲＵ。
【請求項１４】
新規ＣＳＧセルＩＤ（識別）のメンバーになるよう、ネットワークに要求する非アクセス階層（ＮＡＳ）メッセージを送るように構成された前記送信機をさらに備えることを特徴とする請求項１３に記載のＷＴＲＵ。
【請求項１５】
前記新規ＣＳＧセルＩＤのメンバーになるための受諾を受信するように前記ＷＴＲＵが構成されるという条件で、前記新規ＣＳＧセルＩＤへのハンドオーバを実施するように構成された前記プロセッサをさらに備えることを特徴とする請求項１４に記載のＷＴＲＵ。
【請求項１６】
前記新規ＣＳＧセルＩＤをホワイトリストに追加するように構成された前記プロセッサをさらに備えることを特徴とする請求項１５に記載のＷＴＲＵ。
【請求項１７】
前記新規ＣＳＧセルＩＤのメンバーになることに対する拒絶を受信するように前記ＷＴＲＵが構成されるという条件で、新たな拒絶理由を使って前記拒絶を示すように構成された前記プロセッサをさらに備えることを特徴とする請求項１４に記載のＷＴＲＵ。
【請求項１８】
ＭＭＥ（移動管理エンティティ）であって、
ターゲットＣＳＧ（限定加入者グループ）セルと比較して、ワイヤレス送受信ユニット（ＷＴＲＵ）の状況を判定し、前記ＷＴＲＵがソースホームＮｏｄｅＢ（ＨＮＢ）から前記ターゲットＣＳＧセルに移行したかどうか判定し、前記ＷＴＲＵがソースＨＮＢから前記ターゲットＣＳＧセルに移行したという条件で、前記ソースＨＮＢを前記ターゲットＣＳＧセルの現在の識別で更新するように構成されたプロセッサを備えることを特徴とするＭＭＥ。
【請求項１９】
前記ＷＴＲＵが前記ソースＨＮＢから前記ターゲットＣＳＧセルに移行していないという条件で、前記プロセッサは、前記ソースＨＮＢから前記ターゲットＣＳＧセルへの前記ＷＴＲＵの第２の移行を始動するようにさらに構成されることを特徴とする請求項１８に記載のＭＭＥ。
【請求項２０】
前記ソースＨＮＢは、前記ソースＨＮＢから前記ターゲットＣＳＧセルへの前記ＷＴＲＵの失敗した第１の移行の指示を受信するように構成され、前記ソースＨＮＢは、前記ターゲットＣＳＧセルの前記現在の識別を受信し、前記ターゲットＣＳＧセルの前記現在の識別で前記ＷＴＲＵを更新するように構成され、前記ソースＨＮＢは、前記ソースＨＮＢから前記ターゲットＣＳＧセルへの前記ＷＴＲＵの第２の移行を始動するように構成されることを特徴とする請求項１８に記載のＭＭＥ。
【発明の詳細な説明】
【技術分野】
【０００１】
［関連出願の相互参照］
本出願は、その内容が参照により本明細書に組み込まれている、２０１０年１月８日に出願した米国仮出願第６１／２９３，５６２号、および２０１０年４月２９日に出願した米国仮出願第６１／３２９，４８１号の利益を主張する。
【０００２】
本願は、ワイヤレス通信に関連する。
【背景技術】
【０００３】
ＵＭＴＳ（ユニバーサル移動体遠隔通信システム）のためのホームノードＢ（ＨＮＢ）およびＬＴＥ（Ｌｏｎｇ  Ｔｅｒｍ  Ｅｖｏｌｕｔｉｏｎ）のためのホーム進化型ノードＢ（ＨｅＮＢ）は、これ以降、入換え可能に、ＨＮＢまたはＨｅＮＢと呼ばれるが、セルラーカバレージおよび全体的なシステムスループットを増大させるために、ＬＴＥに採り入れられている。ＨＮＢは、密に展開されている場合があり、１つまたは複数のマクロノードＢのカバレージエリア内にあり得る。たとえば、ＨＮＢは、住宅内でもコーヒーショップ内でも使われ得る。ＩＤＬＥモード移動性（ＩＤＬＥ、セルページングチャネル（ＣＥＬＬ＿ＰＣＨ）、ならびにＵＭＴＳの場合のＵＲＡ＿ＰＣＨおよびＬＴＥの場合のＩＤＬＥ）が標準化されている。リリース９向けの接続モード移動性（すなわち、ハンドオーバ）の標準化は、完了していない。
【０００４】
ＨＮＢは、ＷＬＡＮ（ワイヤレスローカルエリアネットワーク）アクセスポイント（ＡＰ）と同様でよい物理装置を指す。ＨＮＢは、家庭や小規模オフィスなど、極度に小さいサービスエリアにおける、ＵＭＴＳおよび／またはＬＴＥサービスへのアクセスをユーザに提供する。ＨＮＢは、たとえば、インターネット接続（たとえば、ＤＳＬ（デジタル加入者線））を使うことによって、オペレータのコアネットワークに接続するように意図されている。
【０００５】
ＨＮＢ  ＣＳＧ（限定加入者グループ）セルとは、規定エリアであり、このエリアでは、ＨＮＢによって与えられる無線カバレージが、ＣＳＧセルのサービスを利用することを認可された加入者グループによってのみアクセスされ得る。認可されたワイヤレス送受信ユニット（ＷＴＲＵ）は、ＣＳＧセルのメンバーと呼ばれる。ＣＳＧは、家族でも、ＨＮＢ  ＣＳＧセルへのアクセスを試みる、ある特定のロケーションの付近にいる誰でも（たとえば、コーヒーショップの中の誰でも）よい。個人でも組織でもよい加入者（すなわち、ＷＴＲＵ）は、このようなサービスが所望されるエリアに渡って、ＨＮＢを使ってＣＳＧセルを展開することができる。各ＷＴＲＵは、本明細書ではホワイトリストまたは許容リストと呼ばれるリストを格納し、このリストは、ＷＴＲＵがアクセスすることを認可されているＣＳＧセルのＣＳＧ  ＩＤ（識別）を含む。ハイブリッドセルとは、メンバーＷＴＲＵ向けのＣＳＧセルと同様に、また、非メンバーＷＴＲＵ向けのオープンセルと同様に働くが、メンバーＷＴＲＵに対するアクセスを優先させ得るセルである。
【０００６】
ワイヤレス通信システムでは、セル電話および他のユーザ機器（ＵＥ）などの様々なモバイル装置、またはＷＴＲＵは、ＨＮＢなどの基地局と接続し、基地局によってサービスされ得る。ＨｅＮＢは、基地局／セルとして働くことができ、たとえば、３Ｇ、ＬＴＥ、または他のシステムにおいてマクロセルが提供し得るよりも小さいエリアに渡るカバレージを提供することができる。
【０００７】
図１は、ワイヤレス通信システム１００における従来のＨｅＮＢ展開の例を示す。ワイヤレス通信システム１００は、ＬＴＥマクロセル１０５、３ＧＰＰシステムセル１１０、上位ネットワークノード（たとえば、ゲートウェイ）１１５および／またはＭＭＥ（移動管理エンティティ）／ＳＧＳＮ（サービングＧＰＲＳ（汎用パケット無線サービス）サポートノード）１２０を含む。上位ネットワークノード１１５は、いくつかのＨｅＮＢ１２５Ａ、１２５Ｂ、１２５Ｃの動作の調整を担う。あるいは、ＭＭＥ／ＳＧＳＮ１２０が、ＨｅＮＢ１２５Ａ、１２５Ｂ、１２５Ｃの動作の調整を担ってもよい。ＭＭＥは、３Ｇ／２Ｇ  ＳＧＳＮのＬＴＥ等価物である。ＬＴＥマクロセル１０５と３ＧＰＰシステム１１０（たとえば、ＷＣＤＭＡ（広帯域符号分割多重アクセス）／ＧＳＭ（汎ヨーロッパデジタル移動通信システム））との間の関係は、こうした２つの技術のカバレージが重なるエリアがあり得ることである。このカバレージの重なりは、ＧＳＭおよびＷＣＤＭＡ技術の同時カバレージと同様である。上位ネットワークノード１１５は、ＭＭＥ／ＳＧＳＮ１２０とインターフェースをとるゲートウェイ機能でよい。ゲートウェイとして、上位ネットワークノード１１５の役割は、いくつかの小さいホームセルをサポートするとともに、ＭＭＥ／ＳＧＳＮ１２０への単一マクロセルとして作用することであり得る。
【０００８】
図２は、ＷＴＲＵ２０５、サービングＣＳＧセル２１０、および近隣ＣＳＧセル２１５を含むＬＴＥワイヤレス通信システム２００を示す。ＬＴＥワイヤレス通信システム２００におけるＣＳＧセルへのインバウンドハンドオーバを完了するために、ＷＴＲＵ２０５は、ＣＳＧセルを測定し、ネットワークに報告する必要がある。ただし、ＣＳＧセルは、物理層セル識別（ＰＣＩ）混乱を受けやすく、この混乱は、ＷＴＲＵが初めて接続される場合に、無線ネットワークコントローラ（ＲＮＣ）またはｅＮＢの近隣にある異なる２つのＣＳＧセルが、同じＰＣＩを使用すると起こる。ＰＣＩ混乱は、ＷＴＲＵがメンバーではないＣＳＧセル（たとえば、ハイブリッドセル）にハンドオーバしなければならない場合にも存在し得る。
【０００９】
ＨｅＮＢは、特に、オープンノード、限定アクセスノード、またはハイブリッドノードでよい。限定アクセスノードＨｅＮＢは、そのノードのＣＳＧのメンバーであるＷＴＲＵとの接続を許可し得る。言い換えると、限定アクセスＨｅＮＢノードが、ノードのＣＳＧのメンバーとして接続を試みるＷＴＲＵを認識しない場合、ＨｅＮＢは、別のＨｅＮＢからのハンドオーバ試行を含み得る接続を受諾することができない。示したように、限定アクセスＨｅＮＢの例は、ＣＳＧに属すＨｅＮＢでよい。ＣＳＧ  ＨｅＮＢは、加入（またはメンバーシップ）ベースで、ＷＴＲＵにアクセスおよびサービスを提供し得る。さらに、ＣＳＧ  ＨｅＮＢは、ＣＳＧセルでよい。ＣＳＧセルは、特に、ＣＳＧマクロセルまたはＣＳＧマクロノードＢも含み得る。オープンノードまたはオープンＨｅＮＢは、非ＣＳＧセルでよい。
【００１０】
ハイブリッドタイプＨｅＮＢは、ハイブリッドＨｅＮＢが属するＣＳＧの識別済みメンバーではないＷＴＲＵとの接続を受諾し得るが、ハイブリッドＨｅＮＢとの非メンバーＷＴＲＵの接続は、一定の制限を受け得る。たとえば、ハイブリッドＨｅＮＢは、かなりの率で非メンバーＷＴＲＵを拒否してもよく、ハイブリッドＨｅＮＢが、サービス品質問題のせいで非メンバーＷＴＲＵを優先する必要がある場合は、非メンバーＷＴＲＵがメンバーＷＴＲＵより優先されてもよい。ハイブリッドＨｅＮＢは、ハイブリッドセルでよい。ハイブリッドセルは、ハイブリッドマクロセルやハイブリッドノードＢなども含み得る。
【００１１】
ときには、また、様々な原因により、ＷＴＲＵは、あるＨｅＮＢから別のＨｅＮＢに、またはあるセルから別のセルに移行する必要があり得る。たとえば、ハンドオーバにおいて、ＷＴＲＵは、あるＨｅＮＢまたはセルへの接続を、第２のＨｅＮＢセルへの接続で置き換えることができる。第２のＨｅＮＢがＣＳＧセル（またはＣＳＧ  ＨｅＮＢ、閉モードセル、もしくはＣＳＧセル）である場合、ＣＳＧセルは、ＣＳＧセルがＣＳＧメンバーＷＴＲＵとして認識しないＷＴＲＵへの接続を受諾することができない。このような状況において、ハンドオーバは失敗し得る。接続モードの間にＷＴＲＵホワイトリスト中で１つまたは複数のＣＳＧ  ＩＤをＷＴＲＵに探索させ追加させる方法および機器が所望されている。
【発明の概要】
【００１２】
ＷＴＲＵに、接続モードの間にＷＴＲＵホワイトリスト中で１つまたは複数のＣＳＧ  ＩＤを探索させ追加させる方法および機器が提供される。このような方法および機器は、ＷＴＲＵ自律探索もしくは手動探索、ＷＴＲＵ始動手順、またはネットワーク始動手順を含むが、それに限定されない。さらに、ネットワークおよび／または非アクセス階層（ＮＡＳ）に、ＣＳＧ  ＩＤを追加させる方法についても記載する。
【００１３】
隣接するＣＳＧセルを求める自律ＣＳＧセル探索を開始するトリガを検出するように構成されたプロセッサと、接続モードでの自律ＣＳＧセル探索が始まったことを示すメッセージをネットワークに送るように構成された送信機と、隣接するＣＳＧセルを検出し、測定し、報告する要求を示すメッセージをネットワークから受信するように構成された受信機と、隣接するＣＳＧセルを検出し、測定するように構成されたプロセッサとを備える方法およびＷＴＲＵが提供される。
【００１４】
ターゲットＣＳＧセルと比較して、ＷＴＲＵの状況を判定し、ＷＴＲＵがソースホームＮｏｄｅＢ（ＨＮＢ）からターゲットＣＳＧセルに移行したかどうか判定し、ＷＴＲＵがソースＨＮＢからターゲットＣＳＧセルに移行したという条件で、ターゲットＣＳＧセルの現在の識別でソースＨＮＢを更新するように構成されたプロセッサを備えるＭＭＥが提供される。
【図面の簡単な説明】
【００１５】
添付の図面とともに、例として挙げられる以下の説明により、より詳細な理解が得られ得るであろう。
【００１６】
【図１】ワイヤレス通信システムにおける従来のＨｅＮＢ展開の例を示す図である。
【図２】一実施形態によるＬＴＥワイヤレス通信システムを示す図である。
【図３Ａ】開示する１つまたは複数の実施形態が実装され得る例示的通信システムを示すシステム図である。
【図３Ｂ】図３Ａに示す通信システム内で使うことができる例示的ＷＴＲＵを示すシステム図である。
【図３Ｃ】図３Ａに示す通信システム内で使うことができる例示的無線アクセスネットワークおよび例示的コアネットワークを示すシステム図である。
【図４】ＬＴＥワイヤレス通信システム／アクセスネットワークを示す図である。
【図５】図４に示すＬＴＥワイヤレス通信システムの例を示す図である。
【図６】接続モードにおいてホワイトリストにＣＳＧ  ＩＤを追加する手順を示すフロー図である。
【図７】ある実施形態による、通信ネットワークのＣＳＧノードに接続を移行するための手順を示すフロー図である。
【図８】別の実施形態による、通信ネットワークのＣＳＧノードに接続を移行するための手順を示すフロー図である。
【発明を実施するための形態】
【００１７】
これ以降において言及する場合、「ワイヤレス送受信ユニット（ＷＴＲＵ）」という用語は、ユーザ機器（ＵＥ）、移動局、固定もしくは移動加入者ユニット、ページャ、セルラー電話、ＰＤＡ（携帯情報端末）、コンピュータ、またはワイヤレス環境において動作することが可能な他のどのタイプの装置も含むが、それに限定されない。これ以降において言及する場合、「基地局」という用語は、ノードＢ、サイトコントローラ、アクセスポイント（ＡＰ）、ホームノードＢ、またはワイヤレス環境において動作することが可能な他のどのタイプのインターフェース装置も含むが、それに限定されない。
【００１８】
ＨｅＮＢは、データおよびコマンドを処理するプロセッサと、情報を送る送信機と、データを受信する受信機と、ワイヤレスインターフェースを介して直ちに（ｓｔａｔ）受信するための、送信機および受信機に結合されたアンテナとを備え得る。
【００１９】
ワイヤレス通信システムにおいて、ＷＴＲＵは、ＷＴＲＵに基地局セルカバレージを提供するＨｅＮＢと接続し得る。このようなＨｅＮＢは、ソースまたはホームＨｅＮＢと呼ぶことができ、ソースＨｅＮＢは、マクロセルノード、ＣＳＧセル、またはハイブリッドノードでよい。ワイヤレス通信システムは、１つまたは複数のＭＭＥおよび少なくとも１つの他のＨｅＮＢまたはセルも含み得る。
【００２０】
本明細書に記載する概念は、ＵＭＴＳなど、他のワイヤレス技術にも適用可能であることが理解されよう。ＵＭＴＳのケースでは、ＰＣＩに対する等価な用語は、ＰＳＣ（プライマリスクランブリングコード）でよい。
【００２１】
これ以降で言及する場合、信号「品質」は、セルからの信号の品質を測定し、またはセルからの受信信号レベルを測定するＷＴＲＵによってとられた測定結果を指し得る。この品質は、ＬＴＥにおけるＲＳＲＱ（基準信号受信品質）またはＵＭＴＳにおけるＣＰＩＣＨ（共通パイロットチャネル）Ｅｃ／Ｎｏに対応し得る。この品質は、ＬＴＥにおけるＲＳＲＰ（基準信号受信電力）またはＵＭＴＳにおけるＣＰＩＣＨ  ＲＳＣＰ（希望波受信電力）にも対応し得る。これ以降で言及する場合、ＣＳＧ  ＩＤはＣＳＧ識別を指し、ＣＧＩはセルグローバル識別を指す。
【００２２】
図３Ａは、開示する１つまたは複数の実施形態が実装され得る例示的通信システム３００の図である。通信システム３００は、音声、データ、映像、メッセージ通信、ブロードキャストなどのようなコンテンツを、複数のワイヤレスユーザに提供する多重アクセスシステムでよい。通信システム３００は、複数のワイヤレスユーザが、ワイヤレス帯域幅を含むシステム資源の共有により、このようなコンテンツにアクセスできるようにし得る。たとえば、通信システム３００は、ＣＤＭＡ（符号分割多重アクセス）、ＴＤＭＡ（時分割多重アクセス）、ＦＤＭＡ（周波数分割多重アクセス）、ＯＦＤＭＡ（直交ＦＤＭＡ）、ＳＣ−ＦＤＭＡ（シングルキャリアＦＤＭＡ）などのような、１つまたは複数のチャネルアクセス方法を利用することができる。
【００２３】
図３Ａに示すように、通信システム３００は、ＷＴＲＵ３０２ａ、３０２ｂ、３０２ｃ、３０２ｄ、無線アクセスネットワーク（ＲＡＮ）３０４、コアネットワーク３０６、ＰＳＴＮ（公衆交換電話網）３０８、インターネット３１０、および他のネットワーク３１２を含み得るが、開示する実施形態は、任意の数のＷＴＲＵ、基地局、ネットワーク、および／またはネットワーク要素を企図していることが理解されよう。ＷＴＲＵ３０２ａ、３０２ｂ、３０２ｃ、３０２ｄはそれぞれ、ワイヤレス環境内で動作し、かつ／または通信するように構成されたどのタイプの装置でもよい。例として、ＷＴＲＵ３０２ａ、３０２ｂ、３０２ｃ、３０２ｄは、ワイヤレス信号を送信し、かつ／または受信するように構成してよく、ユーザ機器（ＵＥ）、移動局、固定または携帯電話加入者ユニット、ページャ、セルラー電話、ＰＤＡ（携帯情報端末）、スマートフォン、ラップトップ、ネットブック、パーソナルコンピュータ、ワイヤレスセンサ、家庭用電化製品などを含み得る。
【００２４】
通信システム３００は、基地局３１４ａおよび基地局３１４ｂも含み得る。基地局３１４ａ、３１４ｂはそれぞれ、ＷＴＲＵ３０２ａ、３０２ｂ、３０２ｃ、３０２ｄの少なくとも１つとワイヤレスにインターフェースをとって、コアネットワーク３０６、インターネット３１０、および／またはネットワーク３１２など、１つまたは複数の通信ネットワークへのアクセスを容易にするように構成されたどのタイプの装置でもよい。例として、基地局３１４ａ、３１４ｂは、ベーストランシーバ基地局（ＢＴＳ）、ノードＢ、ｅＮｏｄｅ  Ｂ、ホームノードＢ、ホームｅＮｏｄｅ  Ｂ、サイトコントローラ、アクセスポイント（ＡＰ）、ワイヤレスルータなどでよい。基地局３１４ａ、３１４ｂは、それぞれ単一要素として示してあるが、基地局３１４ａ、３１４ｂは、相互接続された任意の数の基地局および／またはネットワーク要素を含み得ることが理解されよう。
【００２５】
基地局３１４ａは、ＲＡＮ３０４の一部でよく、ＲＡＮ３０４は、基地局コントローラ（ＢＳＣ）、無線ネットワークコントローラ（ＲＮＣ）、中継ノードなどのような、他の基地局および／またはネットワーク要素（図示せず）も含み得る。基地局３１４ａおよび／または基地局３１４ｂは、セル（図示せず）と呼ぶことができる、ある特定の地理的領域内でワイヤレス信号を送信し、かつ／または受信するように構成され得る。セルは、セルセクタにさらに分割することができる。たとえば、基地局３１４ａに関連づけられたセルは、３つのセクタに分割することができる。したがって、一実施形態では、基地局３１４ａは、３つのトランシーバ、すなわち、セルの各セクタごとに１つを含み得る。別の実施形態では、基地局３１４ａは、ＭＩＭＯ（多入力多出力）技術を利用することができ、したがって、セルの各セクタ用に複数のトランシーバを使用することができる。
【００２６】
基地局３１４ａ、３１４ｂは、エアインターフェース３１６を介してＷＴＲＵ３０２ａ、３０２ｂ、３０２ｃ、３０２ｄの１つまたは複数と通信することができ、インターフェース３１６は、適切などのワイヤレス通信リンク（たとえば、無線周波数（ＲＦ）、マイクロ波、赤外線（ＩＲ）、紫外線（ＵＶ）、可視光など）でもよい。エアインターフェース３１６は、適切などの無線アクセス技術（ＲＡＴ）を使っても確立され得る。
【００２７】
より具体的には、上述したように、通信システム３００は、多重アクセスシステムでよく、ＣＤＭＡ、ＴＤＭＡ、ＦＤＭＡ、ＯＦＤＭＡ、ＳＣ−ＦＤＭＡなどのような、１つまたは複数のチャネルアクセス方式を利用することができる。たとえば、ＲＡＮ３０４内の基地局３１４ａおよびＷＴＲＵ３０２ａ、３０２ｂ、３０２ｃは、ＷＣＤＭＡを使ってエアインターフェース３１６を確立することができるＵＭＴＳ（ユニバーサル移動体遠隔通信システム）ＵＴＲＡ（地上波無線アクセス）などの無線技術を実装し得る。ＷＣＤＭＡは、ＨＳＰＡ（高速パケットアクセス）および／またはＨＳＰＡ＋（進化型ＨＳＰＡ）などの通信プロトコルを含み得る。ＨＳＰＡは、ＨＳＤＰＡ（高速ダウンリンクパケットアクセス）および／またはＨＳＵＰＡ（高速アップリンクパケットアクセス）を含み得る。
【００２８】
別の実施形態では、基地局３１４ａおよびＷＴＲＵ３０２ａ、３０２ｂ、３０２ｃは、ＬＴＥおよび／またはＬＴＥ−Ａ（ＬＴＥ−Ａｄｖａｎｃｅｄ）を使ってエアインターフェース３１６を確立し得るＥ−ＵＴＲＡ（進化型ＵＭＴＳ地上波無線アクセス）などの無線技術を実装し得る。
【００２９】
他の実施形態では、基地局３１４ａおよびＷＴＲＵ３０２ａ、３０２ｂ、３０２ｃは、ＩＥＥＥ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、ＩＳ−２０００（暫定標準２０００）、ＩＳ−９５（暫定標準９５）、ＩＳ−８５６（暫定標準８５６）、ＧＳＭ（汎ヨーロッパデジタル移動通信システム）、ＥＤＧＥ（ＧＳＭ進化型高速データレート）、ＧＳＭ  ＥＤＧＥ（ＧＥＲＡＮ）などのような無線技術を実装し得る。
【００３０】
図３Ａの基地局３１４ｂは、たとえば、ワイヤレスルータ、ホームノードＢ、ホームｅＮｏｄｅ  Ｂ、またはアクセスポイントでよく、仕事場、家庭、車両、キャンパスなどのような、局所的な区域内でワイヤレス接続性を容易にする、適切などのＲＡＴを使用してもよい。一実施形態では、基地局３１４ｂおよびＷＴＲＵ３０２ｃ、３０２ｄは、ＩＥＥＥ８０２．１１などの無線技術を実装して、ＷＬＡＮ（ワイヤレスローカルエリアネットワーク）を確立することができる。別の実施形態では、基地局３１４ｂおよびＷＴＲＵ３０２ｃ、３０２ｄは、ＩＥＥＥ８０２．１５などの無線技術を実装して、ＷＰＡＮ（ワイヤレスパーソナルエリアネットワーク）を確立することができる。さらに別の実施形態では、基地局３１４ｂおよびＷＴＲＵ３０２ｃ、３０２ｄは、セルラーベースＲＡＴ（たとえば、ＷＣＤＭＡ、ＣＤＭＡ２０００、ＧＳＭ、ＬＴＥ、ＬＴＥ−Ａなど）を使用して、ピコセルまたはフェムトセルを確立することができる。図３Ａに示すように、基地局３１４ｂは、インターネット３１０への直接接続を有し得る。したがって、基地局３１４ｂは、コアネットワーク３０６を介してインターネット３１０にアクセスする必要はない場合がある。
【００３１】
ＲＡＮ３０４は、コアネットワーク３０６と通信することができ、ネットワーク３０６は、ＷＴＲＵ３０２ａ、３０２ｂ、３０２ｃ、３０２ｄの１つまたは複数に音声、データ、アプリケーション、および／またはＶｏＩＰ（ボイスオーバーインターネットプロトコル）サービスを提供するように構成されたどのタイプのネットワークでもよい。たとえば、コアネットワーク３０６は、呼制御、課金サービス、モバイルロケーションベースサービス、プリペイド通話、インターネット接続性、映像配信などを提供し、かつ／またはユーザ認証など、ハイレベルなセキュリティ機能を実施することができる。図３Ａには示さないが、ＲＡＮ３０４および／またはコアネットワーク３０６は、ＲＡＮ３０４と同じＲＡＴまたは異なるＲＡＴを利用する他のＲＡＮと直接通信しても、間接的に通信してもよいことが理解されよう。たとえば、Ｅ−ＵＴＲＡ無線技術を使用中であり得るＲＡＮ３０４に接続されるのに加え、コアネットワーク３０６は、ＧＳＭ無線技術を利用する別のＲＡＮ（図示せず）と通信することもできる。
【００３２】
コアネットワーク３０６は、ＷＴＲＵ３０２ａ、３０２ｂ、３０２ｃ、３０２ｄがＰＳＴＮ３０８、インターネット３１０、および／または他のネットワーク３１２にアクセスするためのゲートウェイとしても働き得る。ＰＳＴＮ３０８は、ＰＯＴＳ（単純旧式電話サービス）を提供する回路交換電話網を含み得る。インターネット３１０は、ＴＣＰ／ＩＰインターネットプロトコル群の中で、伝送制御プロトコル（ＴＣＰ）、ユーザデータグラムプロトコル（ＵＤＰ）およびインターネットプロトコル（ＩＰ）などの共通通信プロトコルを使う、相互接続されたコンピュータネットワークおよび装置からなるグローバルシステムを含み得る。ネットワーク３１２は、他のサービスプロバイダによって所有され、かつ／または操作されるワイヤードまたはワイヤレス通信ネットワークを含み得る。たとえば、ネットワーク３１２は、ＲＡＮ３０４と同じＲＡＴまたは異なるＲＡＴを利用することができる、１つまたは複数のＲＡＮに接続された別のコアネットワークを含み得る。
【００３３】
通信システム３００内のＷＴＲＵ３０２ａ、３０２ｂ、３０２ｃ、３０２ｄの一部または全部が、マルチモード能力を含んでよく、すなわち、ＷＴＲＵ３０２ａ、３０２ｂ、３０２ｃ、３０２ｄは、異なるワイヤレスリンクを介して異なるワイヤレスネットワークと通信する複数のトランシーバを含み得る。たとえば、図３Ａに示すＷＴＲＵ１０２ｃは、セルラーベース無線技術を利用し得る基地局３１４ａと、また、ＩＥＥＥ８０２無線技術を利用し得る基地局３１４ｂと通信するように構成され得る。
【００３４】
図３Ｂは、例示的ＷＴＲＵ３０２のシステム図である。図３Ｂに示すように、ＷＴＲＵ３０２は、プロセッサ３１８、トランシーバ３２０、送信／受信要素３２２、スピーカ／マイクロホン３２４、キーパッド３２６、ディスプレイ／タッチパッド３２８、固定メモリ３０６、取外し可能メモリ３３２、電力源３３４、ＧＰＳ（全地球測位システム）チップセット３３６、および他の周辺装置３３８を含み得る。ＷＴＲＵ３０２は、ある実施形態に従った状態で、上記要素のどのサブコンビネーションを含んでもよいことが理解されよう。
【００３５】
プロセッサ３１８は、汎用プロセッサ、特殊目的プロセッサ、従来のプロセッサ、ＤＳＰ（デジタルシグナルプロセッサ）、複数のマイクロプロセッサ、ＤＳＰコアと関連した１つまたは複数のマイクロプロセッサ、コントローラ、マイクロコントローラ、ＡＳＩＣ（特定用途向け集積回路）、ＦＰＧＡ（フィールドプログラム可能ゲートアレイ）回路、他の任意のタイプのＩＣ（集積回路）、状態マシンなどでよい。プロセッサ３１８は、信号符号化、データ処理、電力制御、入出力処理、および／またはＷＴＲＵ３０２がワイヤレス環境内で動作できるようにする他のどの機能性も実施することができる。プロセッサ３１８はトランシーバ３２０に結合することができ、トランシーバ３２０は送信／受信要素３２２に結合することができる。図３Ｂは、プロセッサ３１８およびトランシーバ３２０を別個の構成要素として示すが、プロセッサ３１８およびトランシーバ３２０は、電子パッケージまたはチップに統合されてもよいことが理解されよう。
【００３６】
送信／受信要素３２２は、エアインターフェース３１６を介して、基地局（たとえば、基地局３１４ａ）との間で信号を送信し、または信号を受信するように構成され得る。たとえば、一実施形態では、送信／受信要素３２２は、ＲＦ信号を送信し、かつ／または受信するように構成されたアンテナでよい。別の実施形態では、送信／受信要素３２２は、たとえば、ＩＲ、ＵＶ、または可視光信号を送信し、かつ／または受信するように構成されたエミッタ／検出装置でよい。さらに別の実施形態では、送信／受信要素３２２は、ＲＦおよび光信号の両方を送信／受信するように構成され得る。送信／受信要素３２２は、ワイヤレス信号のどの組合せも送信し、かつ／または受信するように構成され得ることが理解されよう。
【００３７】
さらに、送信／受信要素３２２は、図３Ｂでは単一要素として示してあるが、ＷＴＲＵ３０２は、任意の数の送信／受信要素３２２を含み得る。より具体的には、ＷＴＲＵ３０２は、ＭＩＭＯ技術を利用することができる。したがって、一実施形態では、ＷＴＲＵ３０２は、エアインターフェース３１６を介してワイヤレス信号を送信し受信する２つ以上の送信／受信要素１２２（たとえば、複数のアンテナ）を含み得る。
【００３８】
トランシーバ３２０は、送信／受信要素１２２によって送信されることになる信号を変調するように、また、送信／受信要素１２２によって受信された信号を復調するように構成され得る。上述したように、ＷＴＲＵ３０２は、マルチモード能力を有し得る。したがって、トランシーバ３２０は、ＷＴＲＵ３０２が、たとえばＵＴＲＡおよびＩＥＥＥ８０２．１１など、複数のＲＡＴにより通信できるようにする複数のトランシーバを含み得る。
【００３９】
ＷＴＲＵ３０２のプロセッサ３１８は、スピーカ／マイクロホン３２４、キーパッド３２６、および／またはディスプレイ／タッチパッド３２８（たとえば、ＬＣＤ（液晶ディスプレイ）表示ユニットやＯＬＥＤ（有機発光ダイオード）表示ユニット）に結合されてよく、そこからユーザ入力データを受信することができる。プロセッサ３１８は、スピーカ／マイクロホン３２４、キーパッド３２６、および／またはディスプレイ／タッチパッド３２８にユーザデータを出力することもできる。さらに、プロセッサ３１８は、固定メモリ３０６および／または取外し可能メモリ３３２など、任意のタイプの適切なメモリにある情報にアクセスし、メモリにデータを格納することができる。固定メモリ３０６は、ＲＡＭ（ランダムアクセスメモリ）、ＲＯＭ（読出し専用メモリ）、ハードディスク、または他のどのタイプのメモリ記憶装置も含み得る。取外し可能メモリ３３２は、ＳＩＭ（加入者識別モジュール）カード、メモリスティック、ＳＤ（セキュアデジタル）メモリカードなどを含み得る。他の実施形態では、プロセッサ３１８は、サーバやホームコンピュータ（図示せず）上など、ＷＴＲＵ３０２上に物理的に置かれていないメモリにある情報にアクセスし、メモリにデータを格納することができる。
【００４０】
プロセッサ３１８は、電力源３３４から電力を受けることができ、ＷＴＲＵ３０２内の他の構成要素に電力を分配し、かつ／または制御するように構成され得る。電力源３３４は、ＷＴＲＵ３０２に給電する適切などの装置でもよい。たとえば、電力源３３４は、１つまたは複数の乾電池（たとえば、ニッカド（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００４１】
プロセッサ３１８は、ＧＰＳチップセット３３６にも結合してよく、チップセット３３６は、ＷＴＲＵ３０２の現在のロケーションに関するロケーション情報（たとえば、経度および緯度）を提供するように構成され得る。ＧＰＳチップセット３３６からの情報に加え、またはその代わりに、ＷＴＲＵ３０２は、基地局（たとえば、基地局３１４ａ、３１４ｂ）からエアインターフェース３１６を介してロケーション情報を受信し、かつ／または２つ以上の近くの基地局から受信される信号のタイミングに基づいて、そのロケーションを判定することができる。ＷＴＲＵ３０２は、ある実施形態に従った状態で、適切などのロケーション判定方法によっても、ロケーション情報を獲得し得ることが理解されよう。
【００４２】
プロセッサ３１８は、他の周辺装置３３８にさらに結合することができ、周辺装置３３８は、追加特徴、機能性および／またはワイヤードもしくはワイヤレス接続性を提供する１つまたは複数のソフトウェアおよび／またはハードウェアモジュールを含み得る。たとえば、周辺装置３３８は、加速度計、ｅ−ｃｏｍｐａｓｓ、衛星トランシーバ、デジタルカメラ（写真またはビデオ用）、ＵＳＢ（ユニバーサルシリアルバス）ポート、振動装置、テレビトランシーバ、ハンズフリーヘッドセット、ブルートゥース（登録商標）モジュール、ＦＭ（周波数変調）無線ユニット、デジタル音楽プレーヤ、メディアプレーヤ、ビデオゲームプレーヤモジュール、インターネットブラウザなどを含み得る。
【００４３】
図３Ｃは、ある実施形態による、ＲＡＮ３０４およびコアネットワーク３０６のシステム図である。上述したように、ＲＡＮ３０４は、Ｅ−ＵＴＲＡ無線技術を利用して、エアインターフェース３１６を介してＷＴＲＵ３０２ａ、３０２ｂ、３０２ｃと通信することができる。ＲＡＮ３０４は、コアネットワーク３０６と通信することもできる。
【００４４】
ＲＡＮ３０４は、ｅＮｏｄｅ−Ｂ３４０ａ、３４０ｂ、３４０ｃを含み得るが、ＲＡＮ３０４は、ある実施形態に従った状態で、任意の数のｅＮｏｄｅ−Ｂを含んでよいことが理解されよう。ｅＮｏｄｅ−Ｂ３４０ａ、３４０ｂ、３４０ｃは、それぞれ、エアインターフェース３１６を介してＷＴＲＵ３０２ａ、３０２ｂ、３０２ｃと通信する１つまたは複数のトランシーバを含み得る。一実施形態では、ｅＮｏｄｅ−Ｂ３４０ａ、３４０ｂ、３４０ｃは、ＭＩＭＯ技術を実装することができる。したがって、たとえば、ｅＮｏｄｅ−Ｂ３４０ａは、複数のアンテナを使って、ＷＴＲＵ３０２ａとの間でワイヤレス信号を送信し、ワイヤレス信号を受信することができる。
【００４５】
ｅＮｏｄｅ−Ｂ３４０ａ、３４０ｂ、３４０ｃはそれぞれ、ある特定のセル（図示せず）に関連づけることができ、無線資源管理決定、ハンドオーバ決定、アップリンクおよび／またはダウンリンクにおけるユーザのスケジューリングなどを扱うように構成され得る。図３Ｃに示すように、ｅＮｏｄｅ−Ｂ３４０ａ、３４０ｂ、３４０ｃは、Ｘ２インターフェースを介して互いと通信することができる。
【００４６】
図３Ｃに示すコアネットワーク３０６は、ＭＭＥ３４２、サービングゲートウェイ３４４、およびパケットデータネットワーク（ＰＤＮ）ゲートウェイ３４６を含み得る。上記要素はそれぞれ、コアネットワーク３０６の一部として示してあるが、こうした要素のいずれか１つが、コアネットワークオペレータ以外のエンティティによって所有され、かつ／または操作されてもよいことが理解されよう。
【００４７】
ＭＭＥ３４２は、Ｓ１インターフェースを介してＲＡＮ３０４内のｅＮｏｄｅ−Ｂ３４０ａ、３４０ｂ、３４０ｃそれぞれに接続することができ、制御ノードとして働くことができる。たとえば、ＭＭＥ３４２は、ＷＴＲＵ３０２ａ、３０２ｂ、３０２ｃのユーザの認証、ベアラ活動化／非活動化、ＷＴＲＵ３０２ａ、３０２ｂ、３０２ｃの初回取付けの間のある特定のサービングゲートウェイの選択などを担い得る。ＭＭＥ３４２は、ＲＡＮ３０４と、ＧＳＭやＷＣＤＭＡなど、他の無線技術を利用する他のＲＡＮ（図示せず）との間を切り換える制御プレーン機能も提供し得る。
【００４８】
サービングゲートウェイ３４４は、Ｓ１インターフェースを介して、ＲＡＮ３０４内のｅＮｏｄｅ  Ｂ３４０ａ、３４０ｂ、３４０ｃそれぞれに接続され得る。サービングゲートウェイ３４４は概して、ＷＴＲＵ３０２ａ、３０２ｂ、３０２ｃとの間でユーザデータパケットをルーティングしフォワードすることができる。サービングゲートウェイ３４４は、ｅＮｏｄｅＢ間ハンドオーバ中のユーザプレーンの固定、ダウンリンクデータがＷＴＲＵ３０２ａ、３０２ｂ、３０２ｃにとって入手可能なときのページングのトリガ、ＷＴＲＵ３０２ａ、３０２ｂ、３０２ｃのコンテキストの管理および格納などのような、他の機能を実施することもできる。
【００４９】
サービングゲートウェイ３４４は、ＰＤＮゲートウェイ３４６に接続することもでき、ゲートウェイ３４６は、インターネット３１０などのパケット交換ネットワークへのアクセスをＷＴＲＵ３０２ａ、３０２ｂ、３０２ｃに提供して、ＷＴＲＵ３０２ａ、３０２ｂ、３０２ｃとＩＰ対応装置との間の通信を容易にすることができる。
【００５０】
コアネットワーク３０６は、他のネットワークとの通信を容易にし得る。たとえば、コアネットワーク３０６は、ＰＳＴＮ３０８などの回路交換ネットワークへのアクセスをＷＴＲＵ３０２ａ、３０２ｂ、３０２ｃに提供して、ＷＴＲＵ３０２ａ、３０２ｂ、３０２ｃと従来の陸線通信装置との間の通信を容易にすることができる。たとえば、コアネットワーク３０６は、コアネットワーク３０６とＰＳＴＮ３０８との間のインターフェースとして働くＩＰゲートウェイ（たとえば、ＩＰマルチメディアサブシステム（ＩＭＳ）サーバ）を含んでもよく、ゲートウェイと通信することもできる。さらに、コアネットワーク３０６は、ネットワーク３１２へのアクセスをＷＴＲＵ３０２ａ、３０２ｂ、３０２ｃに提供することができ、ネットワーク３１２は、他のサービスプロバイダによって所有され、かつ／または操作される他のワイヤードまたはワイヤレスネットワークを含み得る。
【００５１】
図４は、Ｅ−ＵＴＲＡＮ（進化型ユニバーサル地上無線アクセスネットワーク）４０５を含むＬＴＥワイヤレス通信システム／アクセスネットワーク４００を示す。Ｅ−ＵＴＲＡＮ４０５は、いくつかのｅＮＢ（進化型ノードＢ）４２０およびＨｅＮＢ４６０を含む。ＷＴＲＵ４１０は、ｅＮＢ４２０およびＨｅＮＢ４６０と通信する。ｅＮＢ４２０は、Ｘ２インターフェースを使って互いとインターフェースをとる。ｅＮＢ４２０はそれぞれ、Ｓ１インターフェースによりＭＭＥ／Ｓ−ＧＷ（サービングゲートウェイ）４３０とインターフェースをとる。ＨｅＮＢ４６０は、Ｓ１インターフェースによりＨｅＮＢゲートウェイ（ＨｅＮＢ  ＧＷ）４７０にも接続される。ＨｅＮＢ４６０およびＨｅＮＢ  ＧＷ４７０は、Ｓ１インターフェースによりＭＭＥ／Ｓ−ＧＷ４３０に接続する。ＨｅＮＢ  ＧＷ４７０は、ＭＭＥ／Ｓ−ＧＷ４３０にとっては、ｅＮＢ４２０として見える。ＨｅＮＢ  ＧＷ４７０は、ＨｅＮＢ４６０にとっては、ＭＭＥ／Ｓ−ＧＷ４３０として見える。
【００５２】
単一のＷＴＲＵ４１０、３つのｅＮＢ４２０および３つのＨｅＮＢ４６０を図４に示すが、ワイヤレスおよびワイヤード装置のどの組合せがワイヤレス通信システム／アクセスネットワーク４００に含まれてもよいことが明らかなはずである。
【００５３】
図５は、ＷＴＲＵ４１０、ｅＮＢ４２０、およびＭＭＥ／Ｓ−ＧＷ４３０を含むＬＴＥワイヤレス通信システム５００の例を示す。図５に示すように、ＷＴＲＵ４１０、ｅＮＢ４２０およびＭＭＥ／Ｓ−ＧＷ４３０は、接続モード中にホワイトリストにＣＳＧ  ＩＤを追加する方法を実施するように構成される。
【００５４】
典型的なＷＴＲＵにおいて見られ得る構成要素に加え、ＷＴＲＵ４１０は、任意選択のリンクされたメモリ５２２を有するプロセッサ５１６、少なくとも１つのトランシーバ５１４、任意選択のバッテリ５２０、およびアンテナ５１８を含む。プロセッサ５１６は、ＣＳＧセルおよびハイブリッドセルへのインバウンドモビリティ（ｉｎｂｏｕｎｄ  ｍｏｂｉｌｉｔｙ）に対するＰＣＩ混乱を解決する方法を実施するように構成される。トランシーバ５１４は、プロセッサ５１６およびアンテナ５１８と通信して、ワイヤレス通信の送信／受信を容易にする。ＷＴＲＵ４１０内でバッテリ５２０が使われるケースでは、バッテリ５２０は、トランシーバ５１４およびプロセッサ５１６に電力を供給する。
【００５５】
典型的なｅＮＢにおいて見られ得る構成要素に加え、ｅＮＢ４２０は、任意選択のリンクされたメモリ５１５を有するプロセッサ５１７、トランシーバ５１９、およびアンテナ５２１を含む。プロセッサ５１７は、ＣＳＧセルおよびハイブリッドセルへのインバウンドモビリティに対するＰＣＩ混乱を解決する方法を実施するように構成される。
【００５６】
トランシーバ５１９は、プロセッサ５１７およびアンテナ５２１と通信して、ワイヤレス通信の送信および受信を容易にする。ｅＮＢ４２０は、任意選択のリンクされたメモリ５３４を有するプロセッサ５３３を含むＭＭＥ／Ｓ−ＧＷ４３０に接続される。ＭＭＥ／Ｓ−ＧＷ４３０、ｅＮＢ４２０、およびＷＴＲＵ４１０は、ＨｅＮＢ４６０と通信する。
【００５７】
インバウンドモビリティとは、マクロセルからＨＮＢへのハンドオーバを指し、ＵＭＴＳおよびＬＴＥの両方にとって、周波数内シナリオ（すなわち、マクロセルおよびＨＮＢが、同じ周波数上にある）ならびに周波数間シナリオ（すなわち、マクロセルおよびＨＮＢが、異なる周波数上にある）に当てはまり得る。同じＲＡＴ（たとえば、ＵＭＴＳやＬＴＥ）内部でのインバウンドモビリティは、以下のやり方のいずれでも遂行され得る。こうした例は、網羅的ではなく、他のやり方も可能であることが、当業者には理解されよう。
【００５８】
一例では、同じＰＣＩ／ＰＳＣを使う複数のＨＮＢに起因するＰＳＣ／ＰＣＩ混乱は、ＷＴＲＵに、ＨＮＢのＳＩ（ＳＩ）を読み取らせて、ＨＮＢのセル識別（ＬＴＥ用のＥ−ＣＧＩ／追跡エリア識別（ＴＡＩ））を入手し、ネットワークに報告することによって解決され得る。
【００５９】
別の例では、ＷＴＲＵは、ネットワークにＨＮＢを報告する前に、予備的アクセスチェック、すなわち、ＨＮＢのＣＳＧ  ＩＤがＷＴＲＵホワイトリストの一部であるチェックを実施することができる。ネットワークは、ＷＴＲＵがＣＳＧ  ＩＤを検証したセルに対してハンドオーバ準備を開始するだけでよい。
【００６０】
別の例では、セルは、ＣＳＧセルのＰＳＣ／ＰＣＩスプリットをブロードキャストすることはできるが、ハイブリッドセルのＰＳＣ／ＰＣＩスプリットをブロードキャストすることはできない。
【００６１】
別の例では、非ＣＳＧメンバーＷＴＲＵに対するＵＭＴＳ周波数間およびＬＴＥ周波数間ＰＳＣ／ＰＣＩ検出には、特定のどの機構も必要ない。ＣＳＧメンバーに対するＰＳＣ／ＰＣＩ検出を実施するために、ＷＴＲＵは、ＷＴＲＵ指示に基づいて（たとえば、フィンガープリントや手動探索に基づいて）トリガされ得る圧縮モード（ＣＭ）／測定ギャップを使えばよい。フィンガープリントは、ＣＳＧセルに対するＷＴＲＵの物理ロケーションを指し得る。
【００６２】
ＵＭＴＳ周波数内シナリオでは、ＷＴＲＵは、ＨＮＢのＳＩを読み取るためのギャップを必要としない場合がある。ＵＭＴＳ周波数間ならびにＬＴＥ周波数内および周波数間シナリオでは、ＷＴＲＵは、自律ギャップまたはスケジュールされたギャップを使って、ＨＮＢのＳＩを読み取ることができる。利用可能な自律ギャップをｅＮＢによって制御することができるならば、不連続受信（ＤＲＸ）の間のアイドル期間を使ってもよい。ＵＭＴＳ周波数内シナリオでは、測定の設定の一部として、ネットワークは、ＷＴＲＵがそれに対してアクセスチェックを実施し得るＰＳＣの範囲を設定し、測定結果を報告するときに付加情報を報告することができる。
【００６３】
ＨＮＢ仕様の現在の状態では、ＣＳＧ  ＩＤは、アイドルモード中の手動選択および登録成功によって、ＷＴＲＵの許容リストに追加され得る。ただし、ＷＴＲＵは、継続中の緊急の呼がない限り、接続モード中に、そのホワイトリストの一部ではないＩＤではＨＮＢにハンドオーバすることができない。たとえば、ユーザが、接続中にあるコーヒーショップに初めて入った場合、ＷＴＲＵは、そのコーヒーショップに属するＨＮＢにハンドオーバすることを許容されない場合がある。ＷＴＲＵは、アイドルモードで登録するために、接続が終わるまで待たなければならない場合がある。インターネットの閲覧など、一部のケースでは、ユーザは、長期間接続モードに留まり、ネットワークに登録して、ユーザが以前訪問したことがないＨＮＢにアクセスするために、現在の接続を中断することを望まない。
【００６４】
さらに、ＷＴＲＵがアイドルモードにある場合、ＣＳＧホワイトリストが空のときはＷＴＲＵ内で自律探索機能を実施することはできない。ターゲットセルのＣＳＧ識別が、ホワイトリスト中のＣＳＧのいずれとも合致しない場合、ＷＴＲＵは、セル再選択を実施することは試みない。
【００６５】
本明細書において手動探索または自律探索が言及されるときは、探索は、ＨＮＢのみをターゲットとすることを含意し、自律探索は、ＨＮＢを求める自律探索に等価であり、手動探索は、ＨＮＢを求める手動探索に等価であることを意味する。
【００６６】
手動および自律探索は、ＷＴＲＵが接続モードにある間に実施され、新規ＨＮＢを見つけるために実施されるものとして記載されており、ＣＳＧ  ＩＤがＷＴＲＵホワイトリストの一部ではないＨＮＢを意図している。
【００６７】
「ＷＴＲＵにシグナリングされる」という表現は、ネットワークが、既存の無線資源制御（ＲＲＣ）もしくは非アクセス階層（ＮＡＳ）メッセージを用いて、または新規ＲＲＣもしくはＮＡＳメッセージを用いてＷＴＲＵに構成パラメータを送ることを示す。たとえば、既存のＲＲＣメッセージのケースでは、メッセージは、ＵＭＴＳにおける測定制御メッセージでも、ＬＴＥにおけるＲＲＣＣｏｎｎｅｃｔｉｏｎＲｅｃｏｎｆｉｇｕｒａｔｉｏｎメッセージでもよい。
【００６８】
いくつかの手順により、ＷＴＲＵは、接続モードの間に（または任意選択で、アイドルモードの間にも）１つまたは複数のＣＳＧ  ＩＤを探索し、ＷＴＲＵホワイトリストに追加する。このような手順は、ＷＴＲＵ自律探索もしくは手動探索、ＷＴＲＵ始動手順、またはネットワーク始動手順を含むが、それに限定されない。さらに、ネットワークおよび／またはＮＡＳがＣＳＧ  ＩＤを追加するための方法についても記載する。
【００６９】
これ以降で言及する場合、アイドルモードは、ＬＴＥシステムにおけるアイドルモードおよび／またはアイドルモード、ＣＥＬＬ＿ＰＣＨ、ＵＲＡ＿ＰＣＨ、もしくはＣＥＬＬ＿ＦＡＣＨモードを指し得る。言い換えると、ＬＴＥ接続モードおよびＵＭＴＳ  ＣＥＬＬ＿ＤＣＨでは、サービングセルの変更が、ＬＴＥアイドルモードの間にハンドオーバを通して実施され、ＵＭＴＳアイドル、ＣＥＬＬ＿ＰＣＨ、ｕｒａ＿ＰＣＨおよびＣＥＬＬ＿ＦＡＣＨモードでは、セル再選択を通してセルの変更が実施される。
【００７０】
図６は、接続モードの間に、ホワイトリストにＣＳＧ  ＩＤを探索し追加する手順６００のフロー図を示す。接続モードでのＣＳＧセルの自律探索が、６０５で、ＷＴＲＵ内で可能にされる。６１０で、ＷＴＲＵ始動トリガまたはネットワーク始動トリガイベントのどちらかが、隣接するＣＳＧセルの自律探索を開始するために起こり、検証される。ＷＴＲＵ始動トリガおよびネットワーク始動トリガについては、これ以降で記載する。ＷＴＲＵは、６１５で、接続モードでの自律ＣＳＧセル探索の開始を示すメッセージをネットワークに送るように構成される。ネットワークは、６２０で、隣接するＣＳＧセルを検出し、測定し、報告するよう、ＷＴＲＵに要求するためのメッセージをＷＴＲＵに送るように構成される。ＷＴＲＵは、６２５で、ＣＳＧセルの検出および測定を開始する。ＷＴＲＵは、６３０で、ＣＳＧセルのＰＳＣおよび測定結果を含むメッセージをネットワークに送る。ＷＴＲＵは、６３５で、最良ＣＳＧセルのＳＩの読取りを自律的に開始し、またはネットワークが、そのＣＳＧセルに対してＳＩを獲得することができるＣＳＧセルをＷＴＲＵに対して指示する。ＷＴＲＵは、６４０で、新規ＣＳＧ  ＩＤのメンバーになるよう、ネットワークに要求するためのＮＡＳメッセージを送る。ＷＴＲＵは、６４５で、ネットワークが、受諾それとも拒絶で応答するか判定する。ＷＴＲＵが受諾応答を受信したという条件で、ＷＴＲＵは、６５０で、ＣＳＧセルにハンドオーバする。ＷＴＲＵは、６５５で、ホワイトリストに新規ＣＳＧ  ＩＤを追加する。ネットワークが拒絶を回答したという条件で、ネットワークは、６６０で、新たな拒絶理由を使って、ＷＴＲＵに対して拒絶を示す。
【００７１】
図６に記載したアクションそれぞれについて、これ以降でより詳しく記載する。ＨＮＢ探索を始動するためのトリガは、ＷＴＲＵ始動およびネットワーク始動トリガを含むが、それに限定されない。
【００７２】
ＷＴＲＵ始動シナリオでは、６０５に記載したように、ＷＴＲＵは、隣接するＨＮＢを求める探索を自律的に始動してもよく、ＷＴＲＵは、必要性を示し、または測定結果を所望する、ネットワークへの報告を始動してもよい。ＷＴＲＵに、他のＨＮＢの測定および／または検出を開始させるために、いくつかの手順およびソリューションについて記載する。本明細書に記載する手順により、ＷＴＲＵは、以前訪問したことがないＨＮＢまたは以前はＷＴＲＵのＣＳＧホワイトリストになかったＩＤをもつＣＳＧを測定し、かつ／または検出し接続するための探索手順を拡張することができる。
【００７３】
過度のＨＮＢ探索、バッテリ消費、および現在の接続への妨害を、ＷＴＲＵに効率的に制限させるために、ＷＴＲＵは、６１０で、以下のトリガの１つまたは組合せの結果として、手順を始動することができる。こうしたトリガは、６１０でネットワークによって始動されてもよいが、これは例として役立つに過ぎず、網羅的リストではない。
【００７４】
トリガの１つは、ＷＴＲＵがＨＮＢに接続済みでないことでよい。たとえば、ＷＴＲＵが、マクロセルに接続され、または現在のサービングセルの信号品質が、予め定義された閾値を下回る。任意選択で、信号品質は、トリガするために、設定された期間は、閾値を下回ったままでなければならない。この閾値は、ＷＴＲＵによって判定されても、ネットワークによってシグナリングされてもよい。
【００７５】
別のトリガは、現在の周波数の信号品質が、予め定義された閾値を下回ることでよい。任意選択で、信号品質は、トリガするために、設定された期間は、閾値を下回ったままでなければならない。この閾値は、ＷＴＲＵによって判定されても、ネットワークによってシグナリングされてもよい。
【００７６】
ＷＴＲＵがその上にある現在のＣＳＧに対する優先レベルが、変更済みである。あるいは、ＷＴＲＵは、低移動状態にあると判定される。たとえば、ＷＴＲＵ移動度が低い場合、ユーザは、ＨＮＢが利用可能であり得る屋内にいると仮定され得る。ＷＴＲＵ移動度が低いロケーションの例は、住宅、空港、コーヒーショップ、企業などを含む。
【００７７】
別のトリガは、ユーザ活動が、現在のサービングセル上で提供可能なデータレートが十分でなくなるようになることでよい。たとえば、サービングセルがマクロセルである場合、ユーザは、ＨＮＢ上で、より優れたデータレートを得ることが可能である。
【００７８】
ＷＴＲＵのホワイトリストが空のとき、別のトリガが起こり得る。このことは、ＷＴＲＵが、ＣＳＧセルへの登録に失敗した状態で加入している可能性があるＨＮＢ可能ＷＴＲＵであることを含意し得る。これにより、ＷＴＲＵは、そのホワイトリストに新規ＣＳＧ  ＩＤを追加することを試みることができる。さらに、デフォルトもしくは設定された時間が経過している場合があり、ＷＴＲＵは、合致するＩＤでのＨＮＢへの登録を試みていない場合もあり、ＷＴＲＵは、同じＩＤをもつどのＣＳＧも検出していない場合もある。たとえば、これは、ＷＴＲＵがそこから出たローミングエリア内でのＣＳＧ  ＩＤの追加に起因する場合があり、ＣＳＧ  ＩＤは、依然としてそのホワイトリスト中にある。あるいは、ＷＴＲＵに格納されたＨＮＢフィンガープリントがないときに、トリガが起こり得る。
【００７９】
ユーザは、ＨＮＢが存在する確率が高いエリアであって、格納されたどのＨＮＢフィンガープリントもＷＴＲＵがもたないエリアに入る。ＨＮＢが存在する確率は、ＷＴＲＵの大体のロケーションに依存して（たとえば、ＧＰＳやマクロセルの近隣リストに基づいて）、ネットワークによって判定し、ＷＴＲＵにシグナリングすることができる。ＷＴＲＵは任意選択で、ＨＮＢが利用可能であるエリアのリストを、ネットワーク指示を使って、または予め構成されたリストにより格納することができる。たとえば、このことは、マクロセルを経由してＷＴＲＵにシグナリングすることができる。ブロードキャストまたは専用ＲＲＣ指示を使って、現在のエリアが、可能性としては、ＷＴＲＵが一時的に接続するのに使うためのＨＮＢを含み得ることを、ＨＮＢ可能ＷＴＲＵに通知することができる。また、このことは、現在のセルまたは現在の追跡エリア、ルーティングエリアなどで利用可能なサービスに変更があった場合、含意され得る。たとえば、ＷＴＲＵが、選択されたＩＰ（インターネットプロトコル）トラフィックオフロード（ＳＩＰＴＯ）（または、ローカルＩＰアクセス（ＬＩＰＡ）など、他のタイプのサービス）などのサービスが利用可能であることを、ＮＡＳシグナリングルーティングエリア更新受諾、または他の任意の方法により知らされた場合、ＷＴＲＵは、ＨＮＢが利用可能であると想定してよい。
【００８０】
自律探索は、ＷＴＲＵによって判定され、またはネットワークによってシグナリングされた期間で定期的にトリガすることができ、この期間は、任意選択で、ＷＴＲＵがあるロケーションのタイプに依存し得る。たとえば、都市エリアでは、タイマ間隔は地方より短くてよい。
【００８１】
ＷＴＲＵが接続モードにある間、手動探索がユーザによってトリガされる。あるいは、トリガは、ＷＴＲＵがエリア内のＨＮＢへの接続／登録を最後に試みてから、ある程度の時間が経過したときでよい。
【００８２】
別のトリガは、ＷＴＲＵのホワイトリストが空であるかどうかに関わらず、電源オンもしくはネットワークへの再登録のとき、または新規公衆地上モバイルネットワーク（ＰＬＭＮ）を選択したとき、またはＰＬＭＮ間ハンドオーバの後でよい。あるいは、ＷＴＲＵが、ハイブリッドＣＳＧセルを検出し、または以前検出し、もしくはハイブリッドセルに接続したことが分かっているエリアに入ると、トリガが起こり得る。
【００８３】
さらに、自律探索は、ＣＳＧがＷＴＲＵのホワイトリスト中にあるＨＮＢのフィンガープリントエリア内にＷＴＲＵがないケースでのみトリガされ得る。というのは、ホワイトリストに新規ＣＳＧ  ＩＤを追加するよりも、以前訪問したＨＮＢを探索することが好ましい場合があるからである。ユーザが、以前訪問したＨＮＢではなく新規ＨＮＢへのハンドオーバに関心がある場合、ユーザは依然として、手動探索を強制してよい。
【００８４】
接続モードでのＨＮＢ探索の回数を制限するために、ネットワークは、ユーザによってトリガされる手動探索をのみを使い、ユーザの対話なしでＷＴＲＵによって始動される自律探索を不能にするように、ＷＴＲＵを制限することができる。さらに、自律探索を可能にすることも、ＷＴＲＵのユーザによって設定可能な選択肢であり得る。
【００８５】
さらに、ネットワークは、６１０で、ＨＮＢの測定／検出を開始するようにＷＴＲＵを始動し、またはトリガすることができる。これは、測定を始動するための、ネットワークからＷＴＲＵへの明示的指示によって、またはホワイトリストが空であっても、ＨＮＢの自律探索および測定を開始するようにＷＴＲＵをトリガすることによって、行われ得る。これは、たとえば、専用ＲＲＣメッセージにより、またはブロードキャスト、広告、もしくは実装により行われ得る。こうしたソリューションは、接続およびアイドルモード移動度の両方に適用可能であり得る。
【００８６】
一例では、手順の始動は、ＷＴＲＵへの明示的な専用シグナリングにより行われ得る。別の例では、ネットワークが、マクロセルに接続されたすべてのＷＴＲＵにこの情報を送ることができる。
【００８７】
こうした例のいずれも、一定のサービスまたは動作モードが可能にされているという指示をＷＴＲＵから受信した結果として実施することができる。たとえば、ユーザ対話に基づいて、ＷＴＲＵの動作モードは、ＳＩＰＴＯ／ＬＩＰＡサービスまたは他のサービスが所望されるように変更することができる。この変更により、ネットワークへの指示、たとえば、ＳＩＰＴＯ／ＬＩＰＡ能力可能指示がトリガされてよく、ネットワークは次いで、検出／測定を開始するよう、ＷＴＲＵに要求する。
【００８８】
ＷＴＲＵが、接続モード中にマクロセルのカバレージにある間、ネットワークは、ＣＭＡＳ（商用移動通信警報システム）または他のどのブロードキャスト特徴を使っても、１つまたは複数の公衆、私設、またはハイブリッドＣＳＧセルの存在を広告することができる。ネットワークは、ＣＳＧ  ＩＤ、ＰＣＩ／ＰＳＣ範囲もしくはリスト、周波数、ＣＳＧ専用周波数、ＲＡＴ、またはＣＳＧ存在指示（１ビット）など、パラメータの１つまたはどの組合せを送ることによっても、ＨＮＢを広告する。この情報は、マクロセルを経由してＷＴＲＵにブロードキャストされても、ＭＢＭＳ（マルチメディアおよびブロードキャストマルチキャストサービス）などのマルチキャストサービスによりＷＴＲＵに送られてもよい。
【００８９】
ＷＴＲＵが報告した／知っている能力に基づいて、ネットワークは、上記パラメータの１つまたはどの組合せも含む、ＨＮＢの存在を示す専用メッセージをＷＴＲＵまたはＷＴＲＵグループに送ることを決めることができる。専用メッセージは、ＲＲＣ再構成メッセージまたは測定制御メッセージにより、ＷＴＲＵに送信され得る。
【００９０】
メッセージを受信しデコードすると、接続モードにあるＷＴＲＵは、異なる周波数またはＲＡＴ上でその探索能力を使ってＨＮＢを探索するために、６２５で許容される場合は、アルゴリズムに基づいて、その自律探索を、またはユーザ決定に基づいて、手動探索を使い、または開始すると決めてよい。こうした指示に関連づけられたアクションについては、下でより詳しく説明する。
【００９１】
ネットワークが、ＣＳＧ存在指示のみをシグナリングした場合、ＷＴＲＵは、この指示に加え、上で定義した手順のいずれを使ってもよい。上述した条件またはトリガの１つが満たされるならば、ＷＴＲＵは、自律的に探索し始めてよい。
【００９２】
さらに、別のＨＮＢ探索トリガとして、ネットワークによって送られる情報、ＷＴＲＵ能力、および内部セッティングに依存して、ＷＴＲＵは、ユーザに通知を行い、ユーザの許可を要求して、ＨＮＢの存在に応じた手動探索を開始することができる。ユーザは、こうした条件の下で、自律探索機能を停止させることを選ぶこともできる。
【００９３】
ＷＴＲＵが、規定のタイマ間隔に、どのＰＣＩ／ＰＳＣも見つけることができなかったならば、ＷＴＲＵは、ＨＮＢを探すのを自律的に停止してよい。タイマは、ネットワークによってシグナリングされ、ユーザによって規定され、またはＰＳＣ／ＰＣＩ内部のＷＴＲＵによって規定されたタイマでよい。ＷＴＲＵは、探索の進展についてユーザに定期的に通知することができ、そうすることによってユーザは、手順を手動でキャンセルしてもよい。ＷＴＲＵは、ユーザ、ネットワーク、または内部で規定され得るカウンタによって限定されるＰＣＩ／ＰＳＣの１つまたはグループを検出した後、探索を停止してもよい。ＷＴＲＵは、その能力に基づいて、すべてまたは限られた数の周波数または帯域における規定回数のリトライの後、ＨＮＢ  ＰＣＩ／ＰＳＣ探索を停止してもよい。
【００９４】
上述した条件／トリガの１つまたは組合せが満たされるならば、ＷＴＲＵは、自律的にＨＮＢ探索手順を始動してよい。ＨＮＢ探索のトリガリングに対する、以下のアクションの１つまたは組合せが実施されてよい。ＷＴＲＵは、サポートされる帯域中のすべての周波数を走査することができる。ＷＴＲＵは、ＷＴＲＵにとって利用可能な場合、または与えられている場合、ＣＳＧ専用周波数を走査するだけでよい。ＷＴＲＵは、接続モード中でのＨＮＢ探索用に指定された周波数のサブセットのみを走査すればよい。自律探索が始動された時点で、ＰＳＣ／ＰＣＩ  ＣＳＧスプリットがＷＴＲＵに与えられていない場合、ＷＴＲＵは、走査している周波数上の、検出されたすべてのＰＳＣ／ＰＣＩを測定し報告すればよい。ＰＳＣ／ＰＣＩ範囲がＷＴＲＵに与えられている場合、ＷＴＲＵは、６２５で、ＣＳＧ  ＰＳＣ／ＰＣＩスプリットの一部であるＰＳＣ／ＰＣＩを検出し、測定し、任意選択で、新規周波数中で報告すればよい。
【００９５】
ＷＴＲＵは、任意選択で、報告されたＰＳＣ／ＰＣＩが、訪問したことがないＰＳＣ／ＰＣＩであることをネットワークに示してよい。この指示は、ネットワークによって、セルのＳＩを読み取るよう、ＷＴＲＵに明示的にシグナリングするべきかどうか判定するのに使うことができる。
【００９６】
ＰＳＣ／ＰＣＩ混乱が存在し得るならば、ＷＴＲＵ、ＨＮＢのＳＩを獲得する必要もあり得る。周波数内のケースでは、ＷＴＲＵは、付近のＨＮＢに対応するＰＳＣ／ＰＣＩを既に検出し、測定している可能性があるが、ＳＩは測定していない可能性がある。したがって、上記トリガの１つが起きているならば、ＷＴＲＵは、同じ周波数上で、自律的ＳＩ読取りを始動してよい。ＷＴＲＵは、６３５で、最高ランクまたは最良質セルに関して、自律的にＳＩを獲得することを選んでよい。ＳＩが読み取られると、ＷＴＲＵは、それぞれに関するＰＳＣ／ＰＣＩおよびＳＩ情報すべてとともに測定報告をネットワークに送ることができる。
【００９７】
また、ＷＴＲＵは、ユーザ選択に従って、ＨＮＢのＳＩを読み取ることができる。この読取りは、表示されるＨＮＢの信号品質が閾値を上回るならば、与えられたＨＮＢ名のセットを（たとえば、ブロードキャストまたは専用メッセージにより）ユーザに対して表示し、ユーザに選択を行わせることによって達成することができる。ユーザは、名前のリストおよび関連づけられたＰＳＣ／ＰＣＩをもっているのであれば、接続を試みるためのＨＮＢの選択を行ってもよく、ユーザは、メッセージに応答して手動探索をトリガしてもよい。ユーザは、隣接するセルの自律的ＳＩ取得をトリガしてもよい。
【００９８】
アイドルモードのＷＴＲＵの場合、ＣＳＧ  ＩＤがホワイトリスト中のＣＳＧのいずれとも合致しない場合であっても、ＷＴＲＵは、その周波数中の最良セルまたは最高ランクのセルを選択し直すことを選んでよい。これは、任意選択で、ＷＴＲＵが低活動モードにある場合にのみ、また、上で定義したトリガの１つが満たされる場合に行われ得る。自律的ＳＩ読取りは、上記条件の１つが満たされるならば、周波数間探索のケースでトリガされてもよい。
【００９９】
ＳＩを読み取り、セル識別、ＨＮＢ名、ＣＳＧなどを獲得すると、ＷＴＲＵは、以下の１つまたは組合せを実施することができる。ＷＴＲＵは、この情報をネットワークに報告することができる。ＷＴＲＵは、ＣＳＧ  ＩＤがホワイトリストにない場合であっても、検出／測定されたセット中で最良セルを選択し直してよい。表示されるＨＮＢの信号品質が閾値を上回るならば、ＷＴＲＵは、与えられたＨＮＢ名のセットを（たとえば、ブロードキャストまたは専用メッセージにより）ユーザに対して表示し、ユーザに選択を行わせればよい。
【０１００】
アイドルモードでは、たとえば、ＷＴＲＵは、ソースセルに依然としてキャンプオンされたまま、ターゲットＣＳＧセル（たとえば、最高ランクのセル）のＳＩを読み取ることを選んでよい。ＷＴＲＵは、ＳＩを読み取ることができ、ＣＳＧ合致が検出されない場合は、ＨＮＢの名前をユーザに対して表示し、このＨＮＢにユーザが接続したいかどうか尋ねればよい。最近の登録についてのユーザの知識に依存して、また、ユーザがこのセルの追加を試みることを選んだ場合、ＷＴＲＵは、ターゲットＣＳＧセルのセル再選択をトリガしてよい。また、ＷＴＲＵは、ＲＲＣメッセージを使って、ホワイトリストにＣＳＧ  ＩＤを追加するための指示をソースセルを介してネットワークに送ることができる。たとえば、この送付は、ホワイトリストに載っていないターゲットセルのＣＳＧ  ＩＤをＷＴＲＵが添付するＣＥＬＬ＿ＵＰＤＡＴＥメッセージにより実施することができる。セル更新のための新たな理由を採り入れてもよく（たとえば、ＣＳＧ追加）、ＲＲＣ接続要求メッセージを使ってもよい。また、ＮＡＳレベルメッセージまたは専用ＲＲＣメッセージがトリガされ得る。
【０１０１】
ホワイトリストに追加するべきセルを選択すると、接続モードにあるＷＴＲＵは、ネットワークに報告を送ることができる。ＷＴＲＵは、検出され、もしくは測定されたすべてのセル、１組の基準を満足する、測定されたセルのサブセット、または選択されたセルを報告することができる。報告は、セルの信号品質、ＣＳＧ  ＩＤ、セル識別、および任意選択で、ＷＴＲＵが、このＣＳＧを、非メンバーであっても、そのホワイトリストに追加しようと試みることを望むという指示を含み得る。この指示は、ネットワークへの１ビットの指示により、またはＣＳＧがメンバーであると間違って示すことによって行われ得る。ＣＳＧ  ＩＤアクセスチェックがネットワーク側で実施され、失敗したならば、このことは、ＷＴＲＵがこのセルをホワイトリストに追加するべきでないことを意味し得る。アクセスチェックが、たとえばＭＭＥ内で通った場合、このことは、ＷＴＲＵがＣＳＧ上で許容されることを示す。
【０１０２】
また、ＷＴＲＵは、与えられたＳＩ情報とともに、好ましい指示ビットを使って、追加されるよう試みたいと望むことをネットワークに報告することができる。
【０１０３】
代替的実施形態では、ＷＴＲＵは、ＳＩの自律検出および／または測定を実施しない。ＷＴＲＵは、訪問したＣＳＧセルの付近に（たとえば、そのフィンガープリントに）あるとは思わなくても、ＣＳＧ探索／検出／ＳＩ測定を実施することを望むという指示をネットワークに送ればよい。この指示は、近接指示メッセージに追加される１つまたは複数のビットまたはこの目的のために追加される新規メッセージ／イベントの形でよい。このビットにより、手動探索がトリガされ、定期的探索がトリガされ、ＣＳＧホワイトリストが空になり、ＣＳＧホワイトリストが空であるがユーザは加入していると思い、またはユーザは、フィンガープリントになくてもＣＳＧを測定することを望む。ネットワークは次いで、ＷＴＲＵを、測定を行い、それに従って測定結果をネットワークに報告するように設定してよい。
【０１０４】
ＷＴＲＵが、妥当な信号品質（すなわち、予め定義された閾値より良い）をもつＰＣＩ／ＰＳＣを検出した場合、ＷＴＲＵは、最終的にハンドオーバ手順を実施する前に、本明細書に挙げる手順ならびにホワイトリストおよびフィンガープリントを更新する手順に従えばよい。
【０１０５】
接続モードでのホワイトリストの更新およびハンドオーバ手順について、ここで記載する。上記トリガの１つ（すなわち、ＷＴＲＵ始動またはネットワーク始動）が満たされるならば（すなわち、ＷＴＲＵがＣＳＧセルのＣＳＧ  ＩＤを獲得すると）、ＷＴＲＵは、ＷＴＲＵのホワイトリスト中のＣＳＧのいずれともＣＳＧが合致しない場合であっても、このＣＳＧセルへの接続を試みてよい。下で説明するのは、ＷＴＲＵをこのようなセルに接続させる実施形態、およびＷＴＲＵにホワイトリストを更新させる実施形態である。
【０１０６】
第１の実施形態では、ＨＮＢによってブロードキャストされるＳＩ中のＷＴＲＵによってＣＳＧ  ＩＤが読み取られると、ＷＴＲＵは、ＨＮＢに関するロケーション登録要求をネットワークに送ることができる。ロケーション登録要求は、要求の中のＣＳＧ  ＩＤ、ならびに任意選択で、ＨＮＢのＰＳＣ／ＰＣＩおよび／またはセル識別、ＬＴＥの場合のＣＧＩを含む、ＵＭＴＳにおけるアップリンク直接転送、ＬＴＥにおけるＵＬＩｎｆｏｒｍａｔｉｏｎＴｒａｎｓｆｅｒ、他の任意の既存ＲＲＣメッセージ、または新規メッセージにより送られ得る。
【０１０７】
第１の実施形態における手順は、ＣＳＧセル自体から実施されるわけではないが、ＷＴＲＵは、このメッセージを送ることによって、ＣＳＧセル上にあるかのようにロケーション更新を実施するが、継続中のどの呼セッションも中断することはない。ロケーション／ルーティング／追跡エリア更新メッセージは、ＣＳＧセルにアクセスするための試みであることを示すための新規更新タイプをもつ。さらに、ＷＴＲＵは、更新がそれに関して実施されるＣＳＧ  ＩＤを含み得る。したがって、ネットワーク内の加入情報／状況に基づいて、６４５で、ロケーション／ルーティング／追跡エリア更新手順は、受諾され、または拒絶され得る。
【０１０８】
受諾された場合、ＷＴＲＵに送られる受諾メッセージ中で、新規更新結果を使うことができる。さらに、ネットワークは、要求メッセージ中で受信したＣＳＧ  ＩＤを含み得る。これにより、ＷＴＲＵおよびネットワークは、６５０で、同じＣＳＧ  ＩＤが参照されていると確信することができる。ＷＴＲＵは次いで、６５５で、ＩＤをそのホワイトリストに追加し、そのＣＳＧセルからネットワークへのアクセスが付与され得ると想定することができる。さらに、ＷＴＲＵは、最初にセルにアクセスし、次いで、そのセルに対してロケーション／ルーティング／追跡エリア更新手順を開始すればよい。ＷＴＲＵは次いで、ロケーション更新が受諾されると、リストにＣＳＧ  ＩＤを追加すればよい。後者のロケーション更新は、通常の手順および更新タイプに従ってよい。また、ＷＴＲＵは、そのホワイトリストにＣＳＧ  ＩＤを追加し、ＷＴＲＵがＣＳＧセルにハンドオーバされるならば、依然としてロケーション／ルーティング／追跡エリア更新を実施することができる。
【０１０９】
６４５で、ＷＴＲＵに関する加入の無効／満了により、ロケーション更新が拒絶された場合、ネットワークは、６６０で、新たな拒絶理由を使って、ＷＴＲＵに対して拒絶を示せばよい。この場合、ＷＴＲＵは、ロケーション／ルーティング／追跡エリアを無効と見なすことはできず、禁止されたエリア識別のリストにロケーション／ルーティング／追跡識別を追加することはできない。
【０１１０】
ＷＴＲＵは、たとえば、ＣＳＧがハイブリッドモードで動作中である場合、ＷＴＲＵのホワイトリストにＣＳＧ  ＩＤを追加せずにハンドオーバが依然として実施され得るかどうかも知らされ得る。
【０１１１】
ロケーション登録手順が成功すると、ネットワークがロケーション登録の受諾をＷＴＲＵに返送した場合、ＷＴＲＵは、そのホワイトリストに新規ＣＳＧ  ＩＤを追加し、このＨＮＢへのハンドオーバ手順を開始することができる。ＨＮＢのフィンガープリント（すなわち、ロケーション情報）は、ＷＴＲＵによって、ホワイトリストにＣＳＧ  ＩＤを追加するのと同時に格納してもよく、フィンガープリントは、ＨＮＢへのハンドオーバの成功の後で追加してもよい。こうすることにより、確実に、ネットワークによって実施されるアクセスチェックが最初に検証されるようになり、ＷＴＲＵは、エラーのあるフィンガープリントを格納しないようになる。
【０１１２】
更新メッセージの送付に加え、ＣＳＧアクセスを含む他の原因（たとえば、ＳＩＰＴＯ／ＬＩＰＡ、ＳＭＳ（ショートメッセージサービス）などの非パケット交換（ＰＳ）サービスが、ある特定のセルから提供され得るかどうか）による加入／状況情報を一般に提供するための新規ＮＡＳメッセージを定義することができる。ＷＴＲＵは、ＷＴＲＵがそれについての状況情報を求めているサービス、たとえば、ＣＳＧアクセスなどの情報を含み得る。ネットワークの応答に基づいて、ＷＴＲＵは、そのホワイトリストへのＣＳＧ  ＩＤの追加およびそのセルへのハンドオーバの試みなど、さらなるアクションをとり得る。
【０１１３】
第２の実施形態では、ＷＴＲＵは、ＣＳＧ  ＩＤが合致しない場合であっても、ターゲットセルに接続しようとする場合がある。アイドルモードにおいて、ＷＴＲＵは、セルへのセル再選択を実施することができる。セル再選択が首尾よく完了され、ＷＴＲＵが拒絶されない場合、ＷＴＲＵは、ＣＳＧ  ＩＤを、ＣＳＧホワイトリストに追加することができる。この規則に対する例外は、緊急呼が始動されているならば当てはまり得る。
【０１１４】
接続モードにおいて、ＷＴＲＵは、ＣＳＧセルが非メンバーであることを示す測定報告を送ることも、測定されたＰＣＩ／ＰＳＣと、セルの信号品質とを有する測定報告を、既存シグナリングまたは任意の新規シグナリング手順を使って送ることもできる。ターゲットＣＳＧセルへのハンドオーバが実施されるべきであることを示すハンドオーバコマンドが、ＷＴＲＵへの返信として送られるならば、ＷＴＲＵは、ＣＳＧホワイトリストにＣＳＧ  ＩＤを追加してよい。
【０１１５】
したがって、ＲＲＣ層またはアクセス階層（ＡＳ）は、ＣＳＧホワイトリストを更新することも、ＣＳＧを追加するための指示をＮＡＳに送ることもできる。ＷＴＲＵがセルのＳＩを読み取っていなかった場合（たとえば、ＰＳＣ／ＰＣＩの混乱が存在する場合は、ネットワークは、セルのＳＩを読み取るよう、ＷＴＲＵに依頼しなくてよい）、ＷＴＲＵは、以下の１つまたは組合せを実施して、セルのＣＳＧ  ＩＤを取得すればよい。ＷＴＲＵは、ハンドオーバを実施し、次いで、セルのＳＩを獲得してＣＳＧ  ＩＤを取得することができる。ＣＳＧ  ＩＤが取得されたら、ホワイトリストに追加してよい。ネットワークは、ハンドオーバメッセージの中で、ＷＴＲＵに対してターゲットセルのＣＳＧ  ＩＤを、また、ＩＤがホワイトリストに追加され得るか、それともハイブリッドセルとして取り扱われ得るかを明示的に示す。
【０１１６】
ＷＴＲＵは、任意選択で、そのフィンガープリント情報を更新することもできる。また、ＷＴＲＵは、ハンドオーバまたはセル再選択を実施することができるが、ＣＳＧホワイトリストにＣＳＧ  ＩＤを自律的に追加することはできない。ＷＴＲＵは、現在接続されているセルのＣＳＧ  ＩＤがＣＳＧホワイトリストにないことを示す指示をネットワークに送ることができる。ネットワークは次いで、上位層シグナリングを使ってＣＳＧホワイトリストを明示的に更新する。
【０１１７】
別の実施形態では、ホワイトリストにないＣＳＧセルへの接続をＷＴＲＵが試みている最中であることをネットワークが検出すると、ネットワークは、ＲＲＣ接続拒絶をＷＴＲＵに送ることができる。こうすることにより、ＷＴＲＵは、アイドルモードにフォールバックし、手動探索を始動することができる。任意選択で、ＷＴＲＵが、ＣＳＧへの接続を試み、ロケーションエリア更新またはルーティング／追跡エリア更新の実施を始めることができることをＷＴＲＵに示す新たな理由が、ＲＲＣ接続拒絶に追加されてよい。
【０１１８】
ネットワークが、ＷＴＲＵからのロケーション登録要求に回答しない場合、ＷＴＲＵは、ロケーション登録拒絶を返送し、またはＷＴＲＵは、ハンドオーバを実施せず、もしくは前述の実施形態でのようにセルを選択し直すことを許容されない。ロケーション登録受諾が受信される前にＷＴＲＵ内のタイマが満了した場合、ネットワークは、ＷＴＲＵからの要求に回答することができない。また、たとえば、ＷＴＲＵがＨＮＢにアクセスすることを許容されない場合、ロケーション登録拒絶が起こり得る。ＷＴＲＵは、そのホワイトリストにＣＳＧ  ＩＤを追加することができず、任意選択で、このＣＳＧ  ＩＤをブラックリストに追加してよい。ＷＴＲＵは、このＣＳＧ  ＩＤをそのホワイトリストに再度追加しようとしないように、および／またはこのセルの自律探索をトリガしないように、対応するフィンガープリントをブラックリストに追加してもよい。ブラックリスト中のエントリは、ＨＮＢアクセス認可の際に変更を考慮するために、また、今後、ＷＴＲＵに以前ブラックリストに追加されたＨＮＢの追加を試みさせるために、一定の期間だけ有効であり得る。
【０１１９】
試行が不成功だった後、ＷＴＲＵは、自律および手動探索中に検出した、ＨＮＢ  ＰＳＣ／ＰＣＩの別の１つを測定しようとする場合がある。ＨＮＢ  ＰＳＣ／ＰＣＩが、予め定義された閾値を上回る場合、ＷＴＲＵは、ＳＩ中のＣＳＧ  ＩＤを読み取った後、別のロケーション登録手順を実施することができる。ＷＴＲＵは、ＨＮＢを再度測定することを避け、自律または手動探索中に格納されたＨＮＢの信号品質を再利用して、予め定義された閾値を上回ることを検証してもよい。
【０１２０】
手動探索を開始するようユーザに要求するためのメッセージが、ユーザに送られ得る。ユーザは次いで、ＨＮＢのいずれかに登録したことに気づいている場合、測定を始動することを選ぶことができる。広告されたＣＳＧまたはＨＮＢがＷＴＲＵのホワイトリストにない場合、ＷＴＲＵは、ＣＳＧセル手順の自律探索（すなわち、図６の６０５〜６６０）をトリガすればよく、そうすることによって、ＣＳＧ  ＩＤを接続し、そのホワイトリストに追加できるようにする。
【０１２１】
ネットワークが、接続モードでのＨＮＢ登録を認めない場合、ＷＴＲＵは、呼が終わるまで情報を保持してよい。ＷＴＲＵは次いで、アイドルモードに入り、ＨＮＢセルに登録すればよい。登録が成功した場合、ＷＴＲＵは、登録に従って、そのホワイトリストを更新することができる。
【０１２２】
さらに、ＷＴＲＵは、接続モードでのＨＮＢ登録の失敗をユーザに通知することができ、そうすることによってユーザは、マクロセル上での呼を停止し、検出されたＨＮＢへの登録を手動でトリガすることを選び得る。
【０１２３】
ＷＴＲＵおよびネットワークのシグナリング能力について、ここで記載する。すべてのＷＴＲＵが、接続モード中に、そのホワイトリストに新規ＣＳＧ  ＩＤを追加することが可能なわけではない。この能力は、情報要素（ＩＥ）（１ビットのＩＥで十分であり得る）を追加することによって、ＲＲＣ接続要求など、既存のＲＲＣメッセージにより、または新規メッセージにより、ネットワークに対して示され得る。また、ＷＴＲＵは、この指示を、登録中に送られるＭＳネットワーク能力ＩＥに含めてもよい。
【０１２４】
さらに、すべてのネットワークが、ＷＴＲＵが接続モードにある間に、ＨＮＢ上でロケーション登録を実施することが可能なわけではない。このネットワーク能力は、以下の実装形態の１つまたは組合せにより、ネットワークによってＷＴＲＵに対して明示的にシグナリングされ得る。
【０１２５】
新規ＩＥが、ＲＲＣ接続セットアップ中に、または他のどの既存ＲＲＣメッセージにおいても追加され得る。ネットワークによってＷＴＲＵに送られる新規メッセージを定義することができる。任意選択の新規ＩＥが、ロケーション登録受諾／拒絶メッセージを含むが、それに限定されないＮＡＳメッセージに追加され、ＷＴＲＵが、可能性としては接続モードの間にＨＮＢ上でのロケーション登録要求をネットワークに送るならば、ネットワークによって使われ得る。
【０１２６】
さらに、このネットワーク能力は、以下のＷＴＲＵ実装形態の１つまたは組合せにより、ＷＴＲＵによって暗黙的に判定され得る。ＷＴＲＵがロケーション登録拒絶を受信するＨＮＢに対する、ある特定の回数のロケーション登録要求が、接続モードのＷＴＲＵによって送られた後、または応答が全くなかった後、ＷＴＲＵは、ネットワークがこの能力をサポートしないと判定することができ、このタイプの要求の送付を停止することができる。ある特定のＣＳＧセル上での登録の結論を要求する、他の任意のＮＡＳ／ＲＲＣメッセージがネットワークに送られ、所与の期間またはある特定の回数のトライに対して、応答が受信されなかった後。ＷＴＲＵによってネットワークに送られた、ＳＩを検出し、測定し、または読み取る、ある特定の回数のギャップ要求が、ネットワークによって認められなかった後、ＷＴＲＵは、ネットワークがこの能力をサポートしないと判定し得る。ギャップ要求は、ＤＲＸのケースにおけるアイドル期間を使うための承認、自律ギャップ、またはスケジュールされたギャップに対する要求を指し得る。
【０１２７】
アイドルまたは接続モード中に、ＵＴＲＡＮまたはＥ−ＵＴＲＡＮ（Ｅｖｏｌｖｅｄ−ＵＴＲＡＮ）セルにキャンプオンされたＷＴＲＵは、コンテキストＩＤおよび既存のＲＲＣ接続を既に有している。したがって、ロケーション更新を送ることにより、受信機状態に起因する論理エラーがトリガされ、結局はコンテキストＩＤの更新を引き起こし得る。
【０１２８】
以下の手順が、ＵＴＲＡＮおよびＥ−ＵＴＲＡＮの両方において、ＷＴＲＵアイドルおよび接続モード両方に当てはまり、いかなるシステム論理エラーも解決することを目指している。
【０１２９】
ネットワーク能力シグナリングにおいて、ネットワーク（すなわち、ＵＴＲＡＮまたはＥ−ＵＴＲＡＮ）は、接続および／またはアイドルモードでのＣＳＧ  ＩＤバックグラウンドアクセスチェックのサポートを、ブロードキャスト制御チャネル、ページング、または他のどの既存もしくは新規ＲＲＣメッセージとして送られるＳＩブロックの中でもシグナリングすることができる。
【０１３０】
ＵＴＲＡＮ手順において、新規ＣＳＧ／ハイブリッドセルを測定した後、ＷＴＲＵは、ＨＮＢに関するロケーション更新、他の任意の既存ＲＲＣメッセージ、または新規メッセージを、アップリンク直接転送によりネットワークに送ることができる。ロケーション更新メッセージが使われる場合、特別なフラグを使って、ターゲットＣＳＧ  ＩＤバックグラウンドアクセスチェックを指示することができる。既存ＲＲＣまたは新規メッセージが使われる場合、フラグは、ネットワーク能力シグナリング手順、ＵＴＲＡＮケース手順またはＥ−ＵＴＲＡＮケース手順のどれに従うべきかをＨＮＢに知らせるのに必要とされ得る。
【０１３１】
このメッセージを受信すると、ＨＮＢは、ＨＮＢゲートウェイ（ＧＷ）に送るべき、ターゲットＣＳＧ  ＩＤバックグラウンドアクセスチェックの新たな理由を示すＷＴＲＵ登録要求メッセージを使うことができる。ＨＮＢ−ＧＷは、ＷＴＲＵアクセスチェック手順を担い得る。アクセスチェックは代替的には、移動交換局（ＭＳＣ）またはＳＧＳＮ（サービングＧＰＲＳ（汎用パケット無線サービス）サポートノード）によって行うこともできる。このメッセージは、ＷＴＲＵ  ＩＤ、ＷＴＲＵ能力、ＣＳＧ  ＩＤバックグラウンドアクセスチェックなどの登録理由、ターゲットアクセスチェックＣＳＧ  ＩＤ、およびターゲットアクセスチェックセルＩＤという情報を含み得る。また、ＷＴＲＵは、測定された複数のターゲットアクセスチェックＣＳＧ  ＩＤおよびターゲットアクセスチェックセルＩＤグループ化要素のリストを送ると決めることができる。
【０１３２】
ＣＳＧ  ＩＤバックグラウンドアクセスチェック理由をもつ、ＨＮＢからのＷＴＲＵ登録要求を受信すると、上記情報をもつＨＮＢ−ＧＷは、ターゲットＨＮＢアクセス検証を実施し、ＷＴＲＵの実際のコンテキストＩＤならびにＣＳＧ  ＩＤを含むＷＴＲＵ登録受諾メッセージで返答することが可能であり得る。
【０１３３】
さらに、ＷＴＲＵがそのデータベース中のバックグラウンドアクセスチェックに対して要求したＣＳＧ  ＩＤをＨＮＢ−ＧＷがもたない場合、ＨＮＢ−ＧＷは、ＷＴＲＵ登録拒絶メッセージで返答してもよく、ＨＮＢ管理システムまたはコアネットワークにメッセージを送って、アクセスチェックを解決してもよい。ＨＮＢ−ＧＷによって実施されたアクセスチェックが、否定的結果を戻した場合、ＣＳＧ  ＩＤを含むＷＴＲＵ登録拒絶メッセージが発行され得る。
【０１３４】
複数のＣＳＧ  ＩＤがターゲットとされる場合、ＨＮＢ−ＧＷは、許容ＣＳＧのリストを、ＷＴＲＵ登録受諾メッセージに入れて送ればよい。照会されたＣＳＧ  ＩＤがどれも許容されない場合、ＨＮＢ−ＧＷは、非許容ＣＳＧ  ＩＤのリストをもつ、ＷＴＲＵ登録拒絶メッセージを送ればよい。ＨＮＢは、ＨＮＢ−ＧＷからの受信された回答に基づいて、ロケーション更新受諾または拒絶を送ることができ、回答全体を転送する。ＷＴＲＵは、そのホワイトリストに、肯定的に検証されたアクセスＣＳＧ  ＩＤを追加することができる。
【０１３５】
ＬＴＥにおけるＥ−ＵＴＲＡＮ手順の場合、ＣＳＧアクセスチェックは、ＭＭＥレベルで実施される。ＨＮＢ−ＧＷは、Ｓ１インターフェース集信装置の役割と、制御およびユーザプレーン多重化役割とをもつ。ＷＴＲＵは、ＵＬＩｎｆｏｒｍａｔｉｏｎＴｒａｎｓｆｅｒを使うことができる。ＣＳＧ  ＩＤバックグラウンドアクセスチェックが求められる場合があり、その後に、測定されたＣＳＧ  ＩＤおよびグローバルセルＩＤパラメータのリストが続く。
【０１３６】
ＵＬＩｎｆｏｒｍａｔｉｏｎＴｒａｎｓｆｅｒメッセージは、ＨＮＢまたはｅＮＢにとって透明である。ただし、ＨＮＢまたはｅＮＢは、このメッセージにセルＩＤを添付することができる。このメッセージは、アップリンク（ＵＬ）ＮＡＳ移送メッセージ中にカプセル化されたＳ１インターフェースを介してＭＭＥに到着し得る。
【０１３７】
ＭＭＥは、ＷＴＲＵがメッセージに入れて提供し得る、ＷＴＲＵ  ＩＤ、ＷＴＲＵ能力、ＣＳＧ  ＩＤバックグラウンドアクセスチェックなどの理由、ターゲットアクセスチェックＣＳＧ  ＩＤ、および／またはターゲットアクセスチェックセルＩＤという要素を伴う特別な手順に基づいて、要求を処理することができる。
【０１３８】
ＷＴＲＵが測定した、ＣＳＧ  ＩＤおよびグローバルセルＩＤの複数のペアが存在し得る。アクセスを検証した後、ＭＭＥは、許容／非許容ＣＳＧリストをもつダウンリンク（ＤＬ）ＮＡＳ移送メッセージを使って返答することができる。ＨｅＮＢは、ＤＬ情報転送メッセージを使って、ＤＬ  ＮＡＳ移送メッセージによってカプセル化されたＣＳＧ  ＩＤバックグラウンドアクセス結果を伝えることができる。ＤＬ情報転送メッセージを受信すると、ＷＴＲＵは、そのホワイトリストをメッセージに従って、たとえば、受信した情報に基づいて、ＣＳＧ  ＩＤを追加し、または削除することによって更新することができる。
【０１３９】
ＭＭＥは、そのデータベース中に具体的なＣＳＧアクセスリストがない場合、追跡エリア識別に基づいて、ターゲットＭＭＥを照会し、戻されたメッセージに基づいて返答すればよい。また、ＭＭＥは、ＣＳＧアクセスリストについて知らない場合、ある特定のＣＳＧ  ＩＤに関してアクセスを単に拒絶すればよい。
【０１４０】
別の実施形態では、ハンドオーバにおけるセル識別検証が失敗した場合の方法および機器について開示する。
【０１４１】
ソースＨｅＮＢから、ターゲットセルと呼ばれ得る他のＨｅＮＢまたはセルへのＷＴＲＵのハンドオーバを必要とする状況が起こり得る。ターゲットセルは、ＣＳＧ  ＨｅＮＢを含み得るＣＳＧセルまたは閉モードセルでよい。ＣＳＧセルは、マクロセルでよい。ターゲットＣＳＧセルは、ＣＳＧ  ＨｅＮＢまたはＣＳＧマクロセルでよく、ＷＴＲＵのＣＳＧ  ＩＤを検証して、ＷＴＲＵが、ターゲットＣＳＧセルと接続し得るＣＳＧのメンバーであるかどうか判定する必要があり得る。ＷＴＲＵは、そのＣＳＧ  ＩＤをソースＨｅＮＢに送信すればよく、このＨｅＮＢは、ターゲットＣＳＧセルにＷＴＲＵ  ＣＳＧ  ＩＤを送信すればよい。ターゲットＣＳＧセルは、ソースＨｅＮＢから受信したＣＳＧ  ＩＤを、ターゲットＣＳＧセルが現在ブロードキャストしているＣＳＧ  ＩＤと比較すればよい。ソースＨｅＮＢから受信したＣＳＧ  ＩＤが、ターゲットＣＳＧセルによってブロードキャストされるＣＳＧ  ＩＤとは異なる場合は、ＣＳＧにおけるＷＴＲＵメンバーシップの検証が失敗することになるので、ターゲットＣＳＧセルは、転送を受諾することはできない。ハンドオーバの試みも、その結果失敗し得る。
【０１４２】
別の実施形態では、ソースＨｅＮＢは、ＭＭＥにＷＴＲＵ  ＣＳＧ  ＩＤを送信することができる。ＭＭＥは、ＷＴＲＵ  ＣＳＧ  ＩＤを使って、ＷＴＲＵが、ターゲットＣＳＧセルと接続し得るＣＳＧのメンバーであるかどうか判定することができる。ＭＭＥは、ＷＴＲＵ  ＣＳＧ  ＩＤおよびＷＴＲＵのメンバーシップ状況の両方をターゲットセルに送信することができる。ターゲットＣＳＧセルは、メンバーシップ状況検証が失敗することになるとき、ＷＴＲＵの移行を拒絶してよく、ハンドオーバの試みは、その結果失敗し得る。
【０１４３】
ターゲットＣＳＧセルにおいて検証が失敗し得る原因の中で、１つは、ＭＭＥおよびターゲットＣＳＧセルが、ターゲットＣＳＧセルによってブロードキャストされるＣＳＧ  ＩＤに関して非同期である場合である。たとえば、ターゲットＣＳＧセルは、ＷＴＲＵがターゲットＣＳＧセルのＣＳＧのメンバーであるかどうかＭＭＥが判定したとき、異なる構成をもつ場合がある。ただし、検証が失敗したＣＳＧ  ＩＤを報告するＷＴＲＵは依然として、ターゲットＣＳＧセルによって報告された実際のＣＳＧ  ＩＤのメンバーである可能性がある。
【０１４４】
ある実施形態では、ターゲットＣＳＧセルでのＣＳＧ  ＩＤ不一致により、ハンドオーバが失敗する可能性があるとき、ＭＭＥには、ハンドオーバを拒絶するターゲットＣＳＧセルによってブロードキャストされる実際のＣＳＧ  ＩＤを知らせればよい。ソースＭＭＥは、ソースＨｅＮＢ内でＷＴＲＵメンバーシップを更新してよく、正しいＣＳＧ  ＩＤを使う新規ハンドオーバ試行が行われ得る。
【０１４５】
こうした実施形態では、（ｅ）ＮＢおよびＨｅＮＢをサポートするネットワーク内で相互動作するワイヤレス通信ネットワーク要素内でＣＳＧ  ＩＤ−ＣＧＩ情報を同期させることに焦点を当て得るＣＳＧ  ＩＤ−ＣＧＩ検証が企図される。先に示したように、ハンドオーバ要求に入れて与えられたＣＳＧ  ＩＤが、ハイブリッドセルがブロードキャストしているものとは異なり得ることをハイブリッドセルが検出した場合、ハイブリッドＨｅＮＢは、依然としてハンドオーバ要求を受諾してよい。あるいは、ターゲットセルがＣＳＧセルである場合、ターゲットＣＳＧセルは、ハンドオーバ要求を拒絶してよく、ターゲットＣＳＧセルは、理由ＩＥの中で無効ＣＳＧ  ＩＤを示すハンドオーバ失敗メッセージを返送すればよい。ある実施形態では、ターゲットＣＳＧセルは、ハンドオーバ失敗またはハンドオーバ要求ＡＣＫメッセージの中に、ターゲットＣＳＧセルによってブロードキャストされた有効なＣＳＧ  ＩＤの値を含めてもよく、そうすることによってネットワークは、この点において同期され得る。
【０１４６】
ある実施形態では、ターゲットセルがハイブリッドセルであり得る場合、ハイブリッドセルは、ハンドオーバ要求を受諾してよいが、ＷＴＲＵを非メンバーとして取り扱う。ＷＴＲＵが、ターゲットハイブリッドセルによってブロードキャストされた新規ＣＳＧ  ＩＤのメンバーである場合、ＭＭＥは、ＷＴＲＵコンテキスト修正メッセージにより、ＷＴＲＵメンバーシップ状況を更新し、したがって、ターゲットハイブリッドセルに、ＷＴＲＵをメンバーとして取り扱わせればよい。
【０１４７】
別の実施形態では、ターゲットセルがＣＳＧセルであるとき、また、ターゲットＣＳＧセルによってブロードキャストされた現在または有効ＣＳＧ  ＩＤを示すハンドオーバ準備の失敗を受信すると、ＭＭＥは、新規または更新アクセスチェックを実施して、ＷＴＲＵメンバーシップ状況を判定することができる。ＭＭＥは、ＨＳＳデータベースを照会して、現在のＣＳＧセルＩＤを検討してＷＴＲＵのメンバーシップ状況を判定することができる。あるいは、ＭＭＥは、ＭＭＥに格納された情報に基づいて、ＷＴＲＵメンバーシップ状況を判定することができる。この更新アクセスチェックは、新規／現在のメンバーシップ状況（メンバーまたは非メンバー）を、正しいターゲットＣＳＧ  ＩＤとともに、ハンドオーバ準備失敗メッセージに入れてソースＨｅＮＢに提供し得る。
【０１４８】
図７を参照すると、ＭＭＥは、７０５で、モバイル装置（すなわち、またはＷＴＲＵ）の状況を、ターゲットＣＳＧセルなど、第１のネットワークノードと比較して判定することができる。７１０で、ソースＨｅＮＢからターゲットＣＳＧセルへのＷＴＲＵの第１の移行が失敗すると、ＭＭＥは、ソースＨｅＮＢなど、第２のネットワークノードを、第１のネットワークノードの現在の識別で更新することができる。第１の移行が成功しなかったという条件で、ＭＭＥは、７２０で、ソースＨｅＮＢからターゲットＣＳＧセルへのＷＴＲＵの第２の移行を始動することができる。この始動は、第１の移行の失敗およびモバイル装置またはＷＴＲＵの状況に少なくとも部分的に基づき得る。ＭＭＥは、第１の移行が失敗だったという条件で、７１５で、ソースＨＮＢをターゲットセルの現在の識別で更新することができる。
【０１４９】
ターゲットセルがターゲットＣＳＧセルである別の実施形態では、ターゲットＣＳＧセルは、ソースＨｅＮＢが通信し得るＭＭＥとは異なるＭＭＥと通信し得る。この通信は、ＭＭＥ間と呼ばれ得る。ターゲットＣＳＧセルと通信するＭＭＥは、ターゲットＭＭＥと呼ばれ得る。ソースＨｅＮＢと通信するＭＭＥは、ソースＭＭＥと呼ばれ得る。ソースＭＭＥは、ターゲットＣＳＧセルと通信することができ、ターゲットＭＭＥは、ソースＨｅＮＢと通信することができる。このような実施形態において、ターゲットＣＳＧセルによってブロードキャストされた現在の（すなわち、有効な）ＣＳＧ  ＩＤを示す、ハンドオーバ準備の失敗が受信され得るとき、ターゲットＭＭＥは、新規または更新アクセスチェックを実施して、ＷＴＲＵメンバーシップ状況（すなわち、メンバーまたは非メンバー）を判定することができる。ＷＴＲＵがメンバーである場合、ターゲットＭＭＥは、新規ＣＳＧ  ＩＤおよびメンバーシップ状況を含み得るハンドオーバ要求をターゲットＣＳＧセルに再発行することができる。ターゲットＭＭＥは、以前のハンドオーバ要求において与えられた情報に基づいて、ハンドオーバのためにソースＨｅＮＢによって識別されたターゲットＣＳＧセルを知っている場合がある。本実施形態は、ターゲットＭＭＥが、ハンドオーバ要求を再発行するためにソースＨｅＮＢを通して作用していないので、ソースＨｅＮＢの迂回であると見なすことができる。
【０１５０】
ターゲットＣＳＧセルからハンドオーバ成功応答（すなわち、ハンドオーバ要求ＡＣＫ）を受信すると、ターゲットＭＭＥは、フォワードリロケーション応答により、新規ＣＳＧ  ＩＤおよびメンバーシップ状況をソースＭＭＥに通知してよい。ソースＭＭＥは次いで、ハンドオーバコマンドを使って、新規ＣＳＧ  ＩＤおよびＷＴＲＵメンバーシップ状況をソースＨｅＮＢに知らせればよい。あるＭＭＥがターゲットＣＳＧセルおよびソースＨｅＮＢの両方と通信し得るある実施形態では、ＭＭＥは、ソースＭＭＥおよびターゲットＭＭＥとして機能し得る。
【０１５１】
また、新規ＣＳＧ  ＩＤでの、再発行されたハンドオーバ要求が失敗に終わった場合、ハンドオーバ失敗メッセージによりハンドオーバ不成功応答をターゲットＣＳＧセルから受信すると、ターゲットＭＭＥは、以前および新規ＣＳＧ  ＩＤの両方に対してハンドオーバ要求が失敗したことを、フォワードリロケーション応答−拒絶を使ってソースＭＭＥに通知することができる。この通知は、新規ＣＳＧ  ＩＤならびにＷＴＲＵメンバーシップ状況を含み得る。
【０１５２】
ターゲットセルがＣＳＧセルである別の実施形態では、ソースＭＭＥは、新規または更新アクセスチェックを実施して、ＷＴＲＵメンバーシップ状況（すなわち、メンバーまたは非メンバー）を判定することができる。ＷＴＲＵがメンバーである場合、ソースＭＭＥは、新規ＣＳＧ  ＩＤおよびメンバーシップ状況を含み得るハンドオーバ要求をターゲットＣＳＧセルに再発行することができる。
【０１５３】
ターゲットＣＳＧセルからハンドオーバ成功応答（すなわち、ハンドオーバ要求ＡＣＫ）を受信すると、ターゲットＭＭＥは、フォワードリロケーション応答を使って、新規ＣＳＧ  ＩＤおよびメンバーシップ状況をソースＭＭＥに通知することができる。ソースＭＭＥは次いで、ハンドオーバコマンドを使って、新規ＣＳＧ  ＩＤおよびＷＴＲＵメンバーシップ状況をソースＨｅＮＢに知らせることができる。
【０１５４】
新規ＣＳＧ  ＩＤでの、再発行されたハンドオーバ要求が失敗に終わった場合、ハンドオーバ失敗を使ってターゲットＣＳＧセルからハンドオーバ不成功応答を受信すると、ターゲットＭＭＥは、フォワードリロケーション応答−拒絶によって、以前および新規ＣＳＧ  ＩＤ両方に関してハンドオーバ要求が失敗したことをソースＭＭＥに通知し、新規ＣＳＧ  ＩＤならびにＷＴＲＵメンバーシップ状況を含めることができる。本実施形態は、ソースＭＭＥがハンドオーバ要求を再発行するためにターゲットＭＭＥを通して作用していないので、ターゲットＭＭＥの迂回であると見なされ得る。
【０１５５】
ターゲットセルがＣＳＧセルでよく、ターゲットＭＭＥでなくてよい別の実施形態では、ソースＭＭＥは、新規または更新アクセスチェックを実施して、ＷＴＲＵメンバーシップ状況（すなわち、メンバーまたは非メンバー）を判定することができる。ＷＴＲＵがメンバーである場合、ソースＭＭＥは、新規ＣＳＧ  ＩＤおよびメンバーシップ状況を含み得るハンドオーバ要求をターゲットＣＳＧセルに再発行することができる。
【０１５６】
ターゲットＣＳＧセルからハンドオーバ成功応答（すなわち、ハンドオーバ要求ＡＣＫ）を受信すると、ソースＭＭＥは、ハンドオーバコマンドを使って、新規ＣＳＧ  ＩＤおよびＷＴＲＵメンバーシップ状況をソースＨｅＮＢに知らせることができる。
【０１５７】
また、新規ＣＳＧ  ＩＤでの、再発行されたハンドオーバ要求が失敗に終わった場合、ターゲットＣＳＧセルからハンドオーバ不成功応答を受信すると、ソースＭＭＥは、以前および新規ＣＳＧ  ＩＤの両方に関してハンドオーバ要求が失敗したことを通知されてよく、この通知は、ハンドオーバ失敗を使って、新規ＣＳＧ  ＩＤならびにＷＴＲＵメンバーシップ状況を含み得る。
【０１５８】
ターゲットセルがＣＳＧセルである別の実施形態では、ＨＮＢ−ＧＷが、アクセスチェックを実施し、ターゲットＣＳＧセルへのハンドオーバを再開し得る。たとえば、これは、３Ｇ／ＵＴＲＡＮのＨＮＢ−ＧＷ内ハンドオーバシナリオの場合に当てはまり得る。他の実施形態では、１つまたは複数のＭＭＥによって実施されるものとして記載した機能は、たとえば、ＨＮＢ−ＧＷノード、ＳＧＳＮノード、ＧＷノード、またはＭＳＣノードによって実施することができる。
【０１５９】
ターゲットセルがＣＳＧセルであるある実施形態では、ソースＨｅＮＢは、ターゲットＣＳＧセルによってブロードキャストされた現在の（すなわち、有効な）ＣＳＧ  ＩＤを示すハンドオーバ準備の失敗を受信し得る。また、ソースＨｅＮＢは、ＷＴＲＵがターゲットＣＳＧセルのＣＳＧのメンバーであり得るとＭＭＥが判定したという指示を受信し得る。ソースＨｅＮＢは、一実施形態では、ハンドオーバを再度試みてよい。別の実施形態では、ハンドオーバの再試行は、新たに一連の測定を要求した後に起こってよく、この要求は、ＷＴＲＵが正しいＳＩを読み取ることを求め得る。測定結果は、パイロットまたは基準信号強度および／または品質などだが、それに限定されない、ハンドオーバ決定を行う際に有用な信号属性を含み得る。
【０１６０】
別の実施形態では、ソースＨｅＮＢは、ＳＩを読み取るよう、ＷＴＲＵに要求して、後続の近接指示において正しいＣＳＧ  ＩＤペアが確実に与えられようにし得る（たとえば、新規ハンドオーバを命じずに）。
【０１６１】
別の実施形態では、ソースＨｅＮＢは、ハンドオーバ必要／フォワードリロケーション要求により、ハンドオーバコマンドを、正しいＣＳＧ  ＩＤが受信されているターゲットＣＳＧセルに発行し得る。別の実施形態では、ソースＨｅＮＢは、新規ＣＳＧ  ＩＤを含み得るＲＲＣＣｏｎｎｅｃｔｉｏｎＲｅｃｏｎｆｉｇｕｒａｔｉｏｎを使ってハンドオーバコマンドを発行し得る。たとえば、ｍｏｂｉｌｉｔｙＣｏｎｔｒｏｌＩｎｆｏ  ＩＥの一部として、ＷＴＲＵは、それ自体のマッピングを修正することができる。
【０１６２】
別の実施形態では、ソースＨｅＮＢは、成功を示すハンドオーバ要求ＡＣＫメッセージを受信すると、ＲＲＣＣｏｎｎｅｃｔｉｏｎＲｅｃｏｎｆｉｇｕｒａｔｉｏｎを使ってＷＴＲＵにハンドオーバコマンドを発行し得る。ハンドオーバコマンドは、新規ＣＳＧ  ＩＤおよび更新されたメンバー状況を（たとえば、ｍｏｂｉｌｉｔｙＣｏｎｔｒｏｌＩｎｆｏ  ＩＥの一部として）含んでよく、そうすることによってＷＴＲＵは、それ自体のマッピングを修正し、かつ／またはその許容ＣＳＧリストを更新することができる。例として、また、分かりやすく言うと、初期のＷＴＲＵ  ＣＳＧ  ＩＤがターゲットＣＳＧセルによって検証される場合、ＭＭＥが首尾よくターゲットＣＳＧセルを要求して、新規（すなわち、検証された）ＣＳＧ  ＩＤでの移行を受諾する場合、またはソースＨｅＮＢが新規（すなわち、検証された）ＣＳＧ  ＩＤで成功ハンドオーバを始動する場合、成功ハンドオーバが起こり得る。
【０１６３】
図８を参照すると、ソースＨｅＮＢは、８０５で、ソースＨｅＮＢからターゲットＣＳＧセルへのＷＴＲＵの第１の移行が失敗したという指示を受信し得る。ソースＨｅＮＢは、８１０で、ターゲットＣＳＧセルなど、ネットワークノードの現在の識別（すなわち、有効または更新ＣＳＧ  ＩＤ）を受信し得る。ソースＨｅＮＢは、８１５で、ターゲットＣＳＧセルの現在の識別（すなわち、有効または更新ＣＳＧ  ＩＤ）でＷＴＲＵを更新し得る。ソースＨｅＮＢは、８２０で、ソースＨｅＮＢからターゲットＣＳＧセルへのＷＴＲＵの第２の移行を始動し得る。この始動は、現在の識別（有効ＣＳＧ  ＩＤ）と、ソースＨｅＮＢからターゲットＣＳＧセルへのＷＴＲＵの失敗した第１の移行とに少なくとも部分的に基づき得る。
【０１６４】
ある実施形態では、たとえば、ソースＨｅＮＢが、ＲＲＣＣｏｎｎｅｃｔｉｏｎＲｅｃｏｎｆｉｇｕｒａｔｉｏｎにより、新規／訂正ターゲットＣＳＧセルＩＤ情報をハンドオーバコマンドに入れて与える場合、ＷＴＲＵは、そのＣＳＧ  ＩＤマッピングを更新する（たとえば、搬送周波数帯域をもつある特定のＣＳＧ  ＩＤにマップする）ことができる。
【０１６５】
別の実施形態では、ＷＴＲＵは、ＲＲＣＣｏｎｎｅｃｔｉｏｎＲｅｃｏｎｆｉｇｕｒａｔｉｏｎメッセージにより構成された測定要求に対して作用した後で、または測定要求を受信することなく、ＣＳＧ  ＩＤマッピングを更新し得る。別の実施形態では、ＷＴＲＵは、ＷＴＲＵがアクセスを許可され得るための、ＣＳＧセルの識別を含む、その許容ＣＳＧリストを更新し得る。
【０１６６】
実施形態
１．ワイヤレス送受信ユニット（ＷＴＲＵ）において実装される方法であって、
隣接するＣＳＧセルを求める自律ＣＳＧ（限定加入者グループ）セル探索を開始するトリガを検出することを含む方法。
２．接続モードでの自律ＣＳＧセル探索が始まったことを示すメッセージをネットワークに送ることをさらに含む実施形態１に記載の方法。
３．隣接するＣＳＧセルを検出し、測定し、報告する要求を示すメッセージをネットワークから受信すること、および
隣接するＣＳＧセルを検出し、測定すること
をさらに含む実施形態２に記載の方法。
４．隣接するＣＳＧセルのＰＳＣ（プライマリスクランブリングコード）および測定結果を示すメッセージをネットワークに送ること、ならびに
検出された最良セルのシステム情報（ＳＩ）を自律的に読取り始めること
をさらに含む実施形態１〜３のいずれか１つに記載の方法。
５．新規ＣＳＧセルＩＤ（識別）のメンバーになるよう、ネットワークに要求する非アクセス階層（ＮＡＳ）メッセージを送ることをさらに含む実施形態４に記載の方法。
６．ＷＴＲＵが、新規ＣＳＧセルＩＤのメンバーになるための受諾を受信したという条件で、新規ＣＳＧセルＩＤへのハンドオーバを実施することをさらに含む実施形態５に記載の方法。
７．新規ＣＳＧセルＩＤをホワイトリストに追加することをさらに含む実施形態６に記載の方法。
８．新規ＣＳＧセルＩＤのメンバーになることに対する拒絶をＷＴＲＵが受信したという条件で、新たな拒絶理由を使って拒絶を示すことをさらに含む実施形態５〜７のいずれか１つに記載の方法。
９．ＭＭＥ（移動管理エンティティ）において実装される方法であって、
ターゲットＣＳＧ（限定加入者グループ）セルと比較して、ワイヤレス送受信ユニット（ＷＴＲＵ）の状況を判定することを含む方法。
１０．ＷＴＲＵがソースホームＮｏｄｅＢ（ＨＮＢ）からターゲットＣＳＧセルに移行したかどうか判定すること、および
ＷＴＲＵがソースＨＮＢからターゲットＣＳＧセルに移行したという条件で、ソースＨＮＢをターゲットＣＳＧセルの現在の識別で更新すること
をさらに含む実施形態９に記載の方法。
１１．ＷＴＲＵがソースＨＮＢからターゲットＣＳＧセルに移行していないという条件で、ソースＨＮＢからターゲットＣＳＧセルへのＷＴＲＵの第２の移行を始動する実施形態１０に記載の方法。
１２．ソースＨＮＢは、ソースＨＮＢからターゲットＣＳＧセルへのＷＴＲＵの失敗した第１の移行の指示を受信する実施形態１０〜１１のいずれか１つに記載の方法。
１３．ソースＨＮＢは、ターゲットＣＳＧセルの現在の識別を受信し、ＷＴＲＵをターゲットＣＳＧセルの現在の識別で更新する実施形態１０〜１２のいずれか１つに記載の方法。
１４．ソースＨＮＢは、ソースＨＮＢからターゲットＣＳＧセルへのＷＴＲＵの第２の移行を始動する実施形態１０〜１３のいずれか１つに記載の方法。
１５．ワイヤレス送受信ユニット（ＷＴＲＵ）であって、
隣接するＣＳＧセルを求める自律ＣＳＧ（限定加入者グループ）セル探索を開始するトリガを検出するように構成されたプロセッサを備えるＷＴＲＵ。
１６．接続モードでの自律ＣＳＧセル探索が始まったことを示すメッセージをネットワークに送るように構成された送信機をさらに備える実施形態１５に記載のＷＴＲＵ。
１７．隣接するＣＳＧセルを検出し、測定し、報告する要求を示すメッセージをネットワークから受信するように構成された受信機と、
隣接するＣＳＧセルを検出し、測定するように構成されたプロセッサと
をさらに備える実施形態１５〜１６のいずれか１つに記載のＷＴＲＵ。
１８．隣接するＣＳＧセルのＰＳＣ（プライマリスクランブリングコード）および測定結果を示すメッセージをネットワークに送り、検出された最良セルのシステム情報（ＳＩ）を自律的に読み取り始めるように構成された送信機をさらに備える実施形態１６〜１７のいずれか１つに記載のＷＴＲＵ。
１９．新規ＣＳＧセルＩＤ（識別）のメンバーになるよう、ネットワークに要求する非アクセス階層（ＮＡＳ）メッセージを送るように構成された送信機をさらに備える実施形態１６〜１８のいずれか１つに記載のＷＴＲＵ。
２０．新規ＣＳＧセルＩＤのメンバーになるための受諾を受信するようにＷＴＲＵが構成されるという条件で、新規ＣＳＧセルＩＤへのハンドオーバを実施するように構成されたプロセッサをさらに備える実施形態１６〜１９のいずれか１つに記載のＷＴＲＵ。
２１．新規ＣＳＧセルＩＤをホワイトリストに追加するように構成されたプロセッサをさらに備える実施形態１６〜２０のいずれか１つに記載のＷＴＲＵ。
２２．新規ＣＳＧセルＩＤのメンバーになることに対する拒絶を受信するようにＷＴＲＵが構成されるという条件で、新たな拒絶理由を使って拒絶を示すように構成されたプロセッサをさらに備える実施形態１６〜２１のいずれか１つに記載のＷＴＲＵ。
２３．ＭＭＥ（移動管理エンティティ）であって、
ターゲットＣＳＧ（限定加入者グループ）セルと比較して、ワイヤレス送受信ユニット（ＷＴＲＵ）の状況を判定するように構成されたプロセッサを備えるＭＭＥ。
２４．ＷＴＲＵがソースホームＮｏｄｅＢ（ＨＮＢ）からターゲットＣＳＧセルに移行したかどうか判定し、ＷＴＲＵがソースＨＮＢからターゲットＣＳＧセルに移行したという条件で、ソースＨＮＢをターゲットＣＳＧセルの現在の識別で更新するようにさらに構成されたプロセッサをさらに備える実施形態２３に記載のＭＭＥ。
２５．ＷＴＲＵがソースＨＮＢからターゲットＣＳＧセルに移行していないという条件で、プロセッサは、ソースＨＮＢからターゲットＣＳＧセルへのＷＴＲＵの第２の移行を始動するようにさらに構成される実施形態２４に記載のＭＭＥ。
２６．ソースＨＮＢは、ソースＨＮＢからターゲットＣＳＧセルへのＷＴＲＵの失敗した第１の移行の指示を受信するように構成される実施形態２３〜２５のいずれか１つに記載のＭＭＥ。
２７．ソースＨＮＢは、ターゲットＣＳＧセルの現在の識別を受信し、ターゲットＣＳＧセルの現在の識別でＷＴＲＵを更新するように構成される実施形態２３〜２６のいずれか１つに記載のＭＭＥ。
２８．ソースＨＮＢは、ソースＨＮＢからターゲットＣＳＧセルへのＷＴＲＵの第２の移行を始動するように構成される実施形態２３〜２７のいずれか１つに記載のＭＭＥ。
【０１６７】
機能および要素を、具体的に組み合わせて上で記載したが、各機能または要素は、他の機能および要素なしで単独で、または他の機能および要素ありもしくはなしで様々に組み合わせて用いることができる。本明細書で挙げた方法またはフローチャートは、汎用コンピュータまたはプロセッサによる実行用のコンピュータ可読記憶媒体に組み込まれる、コンピュータプログラム、ソフトウェア、またはファームウェア中に実装することができる。コンピュータ可読記憶媒体の例は、ＲＯＭ（読出し専用メモリ）、ＲＡＭ（ランダムアクセスメモリ）、レジスタ、キャッシュメモリ、半導体メモリ素子、内部ハードディスクおよび取外し可能ディスクなどの磁気メディア、光磁気メディア、ならびにＣＤ−ＲＯＭディスク、およびＤＶＤ（デジタル多用途ディスク）などの光メディアを含む。ソフトウェアと関連したプロセッサを使って、ＷＴＲＵ、ＵＥ、端末、基地局、ＲＮＣ、または任意のホストコンピュータにおいて使用するための無線周波数トランシーバを実装することができる。
【０１６８】
適切なプロセッサは、例として、汎用プロセッサ、特殊目的プロセッサ、従来のプロセッサ、ＤＳＰ（デジタル信号プロセッサ）、複数のマイクロプロセッサ、ＤＳＰコアと関連した１つもしくは複数のマイクロプロセッサ、コントローラ、マイクロコントローラ、ＡＳＩＣ（特定用途向け集積回路）、ＦＰＧＡ（フィールドプログラム可能ゲートアレイ）回路、他の任意のタイプのＩＣ（集積回路）、および／またはステートマシンを含む。
【０１６９】
ソフトウェアと関連したプロセッサは、ＷＴＲＵ、ユーザ機器（ＵＥ）、端末、基地局、無線ネットワークコントローラ（ＲＮＣ）、または任意のホストコンピュータ内で使用するための無線周波数トランシーバを実装するのに使うことができる。ＷＴＲＵは、カメラ、ビデオカメラモジュール、テレビ電話、スピーカーフォン、振動装置、スピーカ、マイクロホン、テレビトランシーバ、ハンズフリーヘッドセット、キーボード、ブルートゥース（登録商標）モジュール、ＦＭ（周波数変調）無線ユニット、ＬＣＤ（液晶ディスプレイ）表示ユニット、ＯＬＥＤ（有機発光ダイオード）表示ユニット、デジタル音楽プレーヤ、メディアプレーヤ、ビデオゲームプレーヤモジュール、インターネットブラウザ、および／または任意のＷＬＡＮ（ワイヤレスローカルエリアネットワーク）もしくはＵＷＢ（超広帯域）モジュールなど、ハードウェアおよび／またはソフトウェア中に実装されるモジュールとともに使うことができる。
【図１】
2013516919.tif 000003
【図２】
2013516919.tif 000004
【図３Ａ】
2013516919.tif 000005
【図３Ｂ】
2013516919.tif 000006
【図３Ｃ】
2013516919.tif 000007
【図４】
2013516919.tif 000008
【図５】
2013516919.tif 000009
【図６】
2013516919.tif 000010
【図７】
2013516919.tif 000011
【図８】
2013516919.tif 000012
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
ワイヤレス送受信ユニット（ＷＴＲＵ）において実装される方法であって、
利用可能ＣＳＧ（限定加入者グループ）セルを求めるＣＳＧセル探索を始動するトリガを検出するステップと、
接続モードでの前記ＣＳＧセル探索が始動されたことを示す第１のメッセージをネットワークに送るステップと、
前記利用可能ＣＳＧセルを検出し、測定し、報告する要求を示す第２のメッセージを前記ネットワークから受信するステップと、
前記利用可能ＣＳＧセルを検出し、測定するステップと、
前記利用可能ＣＳＧセルのＰＳＣ（プライマリスクランブリングコード）および測定結果を示す第３のメッセージを前記ネットワークに送るステップと、
前記利用可能ＣＳＧセルのうち、最高ランクのＣＳＧセルであると判定されたセルのシステム情報（ＳＩ）を読み取るステップと、
前記最高ランクのＣＳＧセルのメンバーになるよう要求するための非アクセス階層（ＮＡＳ）メッセージを送るステップと
を含むことを特徴とする方法。
【請求項２】
前記最高ランクのＣＳＧセルのメンバーになるための前記要求への受諾を前記ＷＴＲＵが受信したという条件で、前記最高ランクのＣＳＧセルへのハンドオーバを実施するステップをさらに含むことを特徴とする請求項１に記載の方法。
【請求項３】
前記最高ランクのＣＳＧセルのＣＳＧセルＩＤをホワイトリストに追加するステップをさらに含むことを特徴とする請求項２に記載の方法。
【請求項４】
前記最高ランクのＣＳＧセルのメンバーになるための前記要求に対する拒絶を前記ＷＴＲＵが受信したという条件で、前記ネットワークに前記拒絶の指示を送るステップをさらに含むことを特徴とする請求項１に記載の方法。
【請求項５】
ワイヤレス送受信ユニット（ＷＴＲＵ）であって、
利用可能ＣＳＧ（限定加入者グループ）セルを求めるＣＳＧセル探索を始動するトリガを検出するように構成されたプロセッサと、
接続モードでの前記ＣＳＧセル探索が始動されたことを示す第１のメッセージをネットワークに送るように構成された送信機と、
前記利用可能ＣＳＧセルを検出し、測定し、報告する要求を示す第２のメッセージを前記ネットワークから受信するように構成された受信機と、
前記利用可能ＣＳＧセルを検出し、測定するように構成された前記プロセッサと、
前記利用可能ＣＳＧセルのＰＳＣ（プライマリスクランブリングコード）および測定結果を示す第３のメッセージを前記ネットワークに送るように構成された前記送信機と、
前記利用可能ＣＳＧセルのうち、最高ランクのＣＳＧセルであると判定されたセルのシステム情報（ＳＩ）を読み取るように構成された前記プロセッサと、
前記最高ランクのＣＳＧセルのメンバーになるよう要求するための非アクセス階層（ＮＡＳ）メッセージを送るように構成された前記送信機と
を備えることを特徴とするＷＴＲＵ。
【請求項６】
前記最高ランクのＣＳＧセルのメンバーになるための前記要求に対する受諾を前記受信機が受信したという条件で、前記プロセッサは、前記最高ランクのＣＳＧセルへのハンドオーバを実施するようにさらに構成されることを特徴とする請求項５に記載のＷＴＲＵ。
【請求項７】
前記プロセッサは、前記最高ランクのＣＳＧセルのＣＳＧセルＩＤをホワイトリストに追加するようにさらに構成されることを特徴とする請求項６に記載のＷＴＲＵ。
【請求項８】
前記最高ランクのＣＳＧセルのメンバーになるための前記要求に対する拒絶を前記受信機が受信したという条件で、前記ネットワークに前記拒絶の指示を送るようにさらに構成された前記プロセッサをさらに備えることを特徴とする請求項５に記載のＷＴＲＵ。
【国際調査報告】
2013516919.tif 000013
2013516919.tif 000014
2013516919.tif 000015
2013516919.tif 000016
2013516919.tif 000017